(57)【要約】      （修正有）【課題】文書間の論理関係を反映してパノラマ的に視覚化する。【解決手段】パノラマ的な視覚化システムは、エンフォーサー５０６及びそれに結合されるレイアウトエンジンを備える。エンフォーサー５０６は、各々がそれぞれのメディアコンテンツを含み、かつそれぞれの文書コンポーネントについての情報を提供する関連メタデータを有する複数の文書コンポーネントを有するパノラマ的な視覚化文書コレクションの制限された文書コンポーネントを識別するように構成される。文書コンポーネントの関連メタデータは、それぞれの文書コンポーネント間でリンクを識別する情報をさらに含む。レイアウトエンジンは、文書コンポーネント及び関連メタデータに従って、文書コンポーネントのパノラマ的に配置された視覚表示のレイアウトを生成するように構成される。【選択図】図５
2014075128.tif 000002
【特許請求の範囲】
【請求項１】
パノラマ的な視覚化システム（１００）であって、
各々がそれぞれのメディアコンテンツを含み、かつそれぞれの文書コンポーネントについての情報を提供する関連メタデータ（２０８）を有する複数の文書コンポーネントを有するパノラマ的な視覚化文書コレクション（１０２）の制限された文書コンポーネントを識別するように構成されたエンフォーサー（５０６）であって、文書コンポーネントの関連メタデータ（２０８）が、それぞれの文書コンポーネント間でリンクを識別する情報をさらに含む、エンフォーサー（５０６）、及び
エンフォーサー（５０６）に結合され、かつ文書コンポーネント及び関連メタデータ（３０６）に従って文書コンポーネントのパノラマ的に配置された視覚表示（３００）のレイアウトを生成するように構成されたレイアウトエンジン（３０８）であって、制限された文書コンポーネントについて、制限された文書コンポーネントの関連メタデータ（３０６）に従ってレイアウトを生成するように構成されるが、生成されたレイアウトは、制限された文書コンポーネントの代わりに制限の視覚表示を含む、レイアウトエンジン（３０８）
を備えており、
レイアウトエンジン（３０８）はレイアウト（３００）を伝達するように構成されている、パノラマ的な視覚化システム（１００）。
【請求項２】
レイアウトエンジン（３０８）は、レイアウトの生成前に、制限された文書コンポーネントを含む文書コンポーネントを検索するようにさらに構成されており、かつ
レイアウト（３００）を生成するように構成されているレイアウトエンジン（３０８）は、制限された文書コンポーネントを含み、かつ制限された文書コンポーネントに重なる制限の視覚表示を含むレイアウトを生成するように構成されることを含む、
請求項１に記載のパノラマ的な視覚化システム（１００）。
【請求項３】
制限された文書コンポーネントへのアクセスを認め、それに応じて、レイアウトから制限の視覚表示を自動的に削除するように構成されたアドミニストレータ（５１０）をさらに備えている、請求項２に記載のパノラマ的な視覚化システム（１００）。
【請求項４】
レイアウトを生成するように構成されているレイアウトエンジン（３０８）は、レイアウト内の制限された文書コンポーネントを制限の視覚表示に置換するレイアウトを生成するように構成されることを含む、請求項１に記載のパノラマ的な視覚化システム（１００）。
【請求項５】
制限された文書コンポーネントへのアクセスを認め、それに応じて、レイアウト内の制限の視覚表示を制限された文書コンポーネントに自動的に置換するように構成されたアドミニストレータ（５１０）をさらに備えている、請求項４に記載のパノラマ的な視覚化システム（１００）。
【請求項６】
レイアウトエンジン（３０８）は、文書コンポーネントのパノラマ的に配置された視覚表示の複数のレイアウトモデルからレイアウトモデル（３００）を選択するようにさらに構成されており、レイアウトモデル（３００）は、文書コンポーネントの少なくとも一つの関連メタデータ（３０６）に従って選択されており、かつ
レイアウトを生成するように構成されているレイアウトエンジン（３０８）は、選択されたレイアウトモデル（３００）にさらに基づいてレイアウトを生成するように構成されることを含む、
請求項１に記載のパノラマ的な視覚化システム（１００）。
【請求項７】
文書コンポーネントごとの関連メタデータ（３０６）は、レイアウト内のそれぞれの文書コンポーネントの視覚表示のサイズ、場所及び深さのうちの一又は複数を特定する情報を提供し、かつ
文書コンポーネント及び制限された文書コンポーネントの視覚表示について、レイアウトエンジン（３０８）は、関連メタデータ（３０６）に提供される情報により特定されるサイズ、場所及び深さのうちの一又は複数によりレイアウトを生成するように構成されている、
請求項１に記載のパノラマ的な視覚化システム（１００）。
【請求項８】
レイアウトエンジン（３０８）は、レイアウトの生成前に文書コンポーネントを検索するようにさらに構成されており、
一又は複数の文書コンポーネントごとに、文書コンポーネントは、文書コンポーネントのそれぞれの解像度で視覚表示を含む状態にあり、関連メタデータ（３０６）は、レイアウト内のそれぞれの文書コンポーネントの視覚表示の少なくともサイズを特定する情報を提供し、かつ
一又は複数の文書コンポーネントごとに、レイアウトエンジン（３０８）は、関連メタデータ（３０６）に提供される情報により特定されるサイズに一致する解像度で視覚表示される文書コンポーネントを検索するように構成されている、
請求項７に記載のパノラマ的な視覚化システム（１００）。
【請求項９】
各々がそれぞれのメディアコンテンツを含み、かつそれぞれの文書コンポーネントについての情報を提供する関連メタデータ（３０６）を有する複数の文書コンポーネントを有するパノラマ的な視覚化文書コレクション（１０２）の制限された文書コンポーネントを識別することであって、文書コンポーネントの関連メタデータ（３０６）が、それぞれの文書コンポーネント間でリンクを識別する情報をさらに含む、識別すること、
文書コンポーネント及び関連メタデータ（３０６）に従って文書コンポーネントのパノラマ的に配置された視覚表示のレイアウトを生成することであって、制限された文書コンポーネントについて、レイアウトは、制限された文書コンポーネントの関連メタデータ（３０６）に従って生成されるが、生成されたレイアウトは、制限された文書コンポーネントの代わりに制限の視覚表示を含む、生成すること、及び
レイアウトを伝達すること
を含む方法。
【請求項１０】
レイアウトの生成前に、制限された文書コンポーネントを含む文書コンポーネントを検索することをさらに含み、
レイアウトを生成することが、制限された文書コンポーネントを含むレイアウトであって、制限された文書コンポーネントに重ねる制限の視覚表示を含むレイアウトを生成することを含む、
請求項９に記載の方法。
【請求項１１】
制限された文書コンポーネントへのアクセスを認め、それに応じて、レイアウトから制限の視覚表示を自動的に削除することをさらに含む、請求項１０に記載の方法。
【請求項１２】
レイアウトを生成することが、レイアウト内の制限された文書コンポーネントを制限の視覚表示に置換するレイアウトを生成することを含む、請求項９に記載の方法。
【請求項１３】
レイアウト内の制限された文書コンポーネントへのアクセスを認め、それに応じて、レイアウト内の制限の視覚表示を制限された文書コンポーネントに自動的に置換することをさらに含む、請求項１２に記載の方法。
【請求項１４】
文書コンポーネントのパノラマ的に配置された視覚表示の複数のレイアウトモデルから、文書コンポーネントの少なくとも一つの関連メタデータ（３０６）に従ってレイアウトモデル（３００）を選択することをさらに含み、
レイアウトを生成することが、選択されたレイアウトモデル（３００）にさらに基づいてレイアウトを生成することを含む、
請求項９に記載の方法。
【請求項１５】
文書コンポーネントごとの関連メタデータ（３０６）は、レイアウト内のそれぞれの文書コンポーネントの視覚表示のサイズ、場所及び深さのうちの一又は複数を特定する情報を提供し、
文書コンポーネントと制限された文書コンポーネントの視覚表示とについて、レイアウトは、関連メタデータ（３０６）に提供される情報により特定されるサイズ、場所及び深さのうちの一又は複数に従って生成され、
一又は複数の文書コンポーネントごとに、文書コンポーネントは、文書コンポーネントのそれぞれの解像度で視覚表示を含む状態にあり、かつ関連メタデータ（３０６）はレイアウト内のそれぞれの文書コンポーネントの視覚表示の少なくともサイズを特定する情報を提供し、かつ
一又は複数の文書コンポーネントごとに、文書コンポーネントは、関連メタデータ（３０６）に提供される情報により特定されるサイズに一致する解像度での視覚表示のために検索される、
請求項９に記載の方法。
【発明の詳細な説明】
【技術分野】
【０００１】
関連出願の相互参照
本出願は、２０１２年３月８日に出願された、米国特許出願番号１３／４１４，９８７の表題「パノラマ的な視覚化文書レイアウト」、米国特許出願番号１３／４１４，９６４の表題「パノラマ的な視覚化文書ナビゲーション」、及び米国特許出願番号１３／４１４，９４０の表題「パノラマ的な視覚化文書コレクション」に関連しており、それらは、２０１１年１２月２１日に出願された、米国仮特許出願番号６１／５７８，３４９の表題「パノラマ的な視覚化文書レイアウト」、米国仮特許出願番号６１／５７８，３５７の表題「パノラマ的な視覚化文書ナビゲーション」、及び米国仮特許出願番号６１／５７８，３６１の表題「パノラマ的な視覚化文書コレクションに優先権を主張する。また、本出願は、２０１１年３月２５日に出願された、米国特許出願番号１３／０７２，２１７の表題「画像管理及び表現」にも関連し、それは、２０１１年１月２６日に出願された、米国仮特許出願番号６１／４３６，５８５の表題「並べて表示された２Ｄイラストを使用した航空機保守情報へのナビゲーション」に優先権を主張する。
【０００２】
本開示は、概して文書のパノラマ的な視覚化に関するもので、特に、文書／コンポーネント間の論理関係を反映する方法での文書又はそれらの文書コンポーネントのパノラマ的な視覚化に関するものである。
【背景技術】
【０００３】
ある話題について印刷される情報はしばしば複数のページに印刷されるが、これは、情報が単一のページにはぴったり合わず、及び／又は複数のページを使用した方がより効果的に表現されるからである。複数のページは、同じソース内又は複数のソース内にあるかもしれない。たとえば、同じ図の異なる部分が異なるページに印刷されるように、航空機の製図は印刷される。航空機の一つのアセンブリの図が一つのライブラリ又はソースに含まれ、その一方で別のアセンブリの図が第二のライブラリ又はソースに含まれる。
【０００４】
また、一つの文書が物体についての詳細の一つのレベルを含み、他方で第二の文書が同じ物体についての詳細の第二レベルを含むように、印刷対象の情報が印刷されてもよい。たとえば、航空機の図では、航空機の外装が図に見えるように印刷される。航空機の外装は不明瞭であるが、航空機の内装が表現されるように、同じ航空機の別の図が印刷される。それゆえ、閲覧者は、同じオブジェクトについて異なる情報を得るために、異なる図を使用することができる。
【０００５】
別の例として、配線システムの配線図がしばしば複数のページにわたって印刷されるが、これは、配線図で表現されるグラフィック情報及びテキスト情報が大きすぎて単一のページには合わないからである。それゆえ、配線システム全体についての情報を得るために、閲覧者は文書を複数回変更するかもしれない。
【０００６】
設計図、製図、配線図及び他の適する種類の文書などの文書は、航空機の保守において使用される。文書は、印刷形式で見られるように作成される。しかしながら、そのような文書は、一般的に、電子的な形態で記憶され、データ処理システムのディスプレー装置上で見られる。その結果、閲覧者は、異なる種類の媒体の異なる文書に目を通す。この種の検討には、航空機についての情報を見つけるのに望まれるよりも多くの時間を浪費するかもしれない。
【０００７】
航空機などのシステムのうちの複雑なシステムに関する文書は、ゆえに、複雑なシステム及びそのコンポーネント、サブシステム及び部品、並びに複雑なシステムのそれぞれの要素間の接続及び関係についての大量の情報を含むかもしれない。システムの複雑さ及びシステム説明にしばしば必要とされる大量の情報は、文書を検討するのに必要とされる時間だけではなく、複雑なシステム及びその要素を理解する困難をも増大させるかもしれない。ユーザは、大量の情報を含む文書を検討する時間を必要とするだけではなく、複雑なシステム及びその要素が互いに関係する方法を理解するために情報を検討する困難に耐えるための時間も必要とするかもしれない。
【発明の概要】
【発明が解決しようとする課題】
【０００８】
したがって、上述した問題の少なくとも一部と、起こりうる他の問題とを考慮する方法と装置を有することが望ましい。
【課題を解決するための手段】
【０００９】
本開示の実施形態は、概してパノラマ的な視覚化システム、及び対応する方法並びにコンピュータ可読記憶媒体に関する。実施形態によれば、文書コレクションのメディアコンテンツは、コンテンツにより示されるサブジェクト又はそれらのオブジェクト間の関係を順に反映させる、コンテンツ間の論理関係を反映する方法でパノラマ的に配置される。この配置によって、ユーザは、もしそうでなければ理解し難い、単一のビューで、且つ、コンテンツとそれらのサブジェクト又はオブジェクトとの間の関係のよりよい理解を促す配置で、コンテンツを見ることができる。任意の数のコンポーネント、サブシステム及び部品を含む航空機などの複雑なシステムの背景において、配置は、大量の情報を含む文書を検討するのに要する時間を削減可能にするだけではなく、複雑なシステム及びその要素が互いに関係する方法を理解するために情報を検討する困難を和らげるのに必要な時間も縮小することができる。種々の関係はカスタマイズすることができ、パノラマ的な配置で反映されるときには、様々なユーザの理解をさらに促進する。それゆえ、実施形態は、いくつかの文書コレクションに含まれる最も大量の情報を検索するのに必要とされる難しさ及び時間を軽減することができる。
【００１０】
実施形態は、ある制限されたコンテンツ上でアクセス制御をさらに可能にする。この点で、アクセス制御ポリシーの実施は、制限されたコンテンツの代わりに制御の視覚指示を含む配置の生成を含み、配置は、制限されたコンテンツと他のコンテンツとの間の論理関係をさらに反映する。たとえば、アクセス制御ポリシーの実施は、配置の制限されたコンテンツを制限の視覚指示に置換する、又は配置の制限されたコンテンツに制限の視覚指示を重ねることを含む。視覚指示は、ユーザが制限されたコンテンツへのアクセス許可を開始するために相互作用する双方向の視覚指示とされる。ユーザがアクセスを認められる場合には、視覚指示は、配置の制限されたコンテンツに自動的に置換される、又は重なる視覚指示は、その下で制限されたコンテンツを表示するために削除される。
【００１１】
実施形態の一つの態様によれば、パノラマ的な視覚化システムは、エンフォーサー及びエンフォーサーに結合されたレイアウトエンジンを備える。エンフォーサーは、各々がそれぞれのメディアコンテンツを含み、かつそれぞれの文書コンポーネントについての情報を提供する関連メタデータを有する複数の文書コンポーネントを有するパノラマ的な視覚化文書コレクションの制限された文書コンポーネントを識別するように構成される。文書コンポーネントの関連メタデータは、それぞれの文書コンポーネント間でリンクを識別する情報をさらに含む。
【００１２】
この態様のレイアウトエンジンは、文書コンポーネント及び関連メタデータに従って、文書コンポーネントのパノラマ的に配置された視覚表示のレイアウトを生成するように構成される。制限された文書コンポーネントについて、レイアウトエンジンは、制限された文書コンポーネントの関連メタデータに従ってレイアウトを生成するように構成されるが、生成されたレイアウトは、制限された文書コンポーネントの代わりに制限の視覚表示を含む。また、レイアウトエンジンは、レイアウトを伝達するように構成されてもよい。
【００１３】
一つの実施例では、レイアウトエンジンは、レイアウトの生成前に、制限された文書コンポーネントを含む文書コンポーネントを検索するようにさらに構成される。この例では、レイアウトエンジンは、制限された文書コンポーネントを含み、かつ制限された文書コンポーネントに重ねる制限の視覚表示を含むレイアウトを生成するように構成される。システムは、制限された文書コンポーネントへのアクセスを認め、それに応じて、レイアウトから制限の視覚表示を自動的に削除するように構成されたアドミニストレータをさらに備える。
【００１４】
別の例では、レイアウトエンジンは、レイアウト内の制限された文書コンポーネントを制限の視覚表示に置換するレイアウトを生成するように構成される。この例では、アドミニストレータは、制限された文書コンポーネントへのアクセスを認め、それに応じて、レイアウト内の制限の視覚表示を制限された文書コンポーネントに自動的に置換するように構成される。
【００１５】
一つの実施例では、レイアウトエンジンは、文書コンポーネントのパノラマ的に配置された視覚表示の複数のレイアウトモデルから、文書コンポーネントの少なくとも一つの関連メタデータ（３０６）に従ってレイアウトモデルを選択するようにさらに構成される。この例では、レイアウトエンジンは、選択されたレイアウトモデルにさらに基づきレイアウトを生成するように構成される。
【００１６】
この例では、文書コンポーネントごとの関連メタデータは、レイアウト内のそれぞれの文書コンポーネントの視覚表示のサイズ、場所及び深さのうちの一又は複数を特定する情報を提供する。この例では、文書コンポーネント及び制限された文書コンポーネントの視覚表示について、レイアウトエンジンは、関連メタデータに提供される情報により特定されるサイズ、場所及び深さのうちの一又は複数によりレイアウトを生成するように構成される。
【００１７】
さらなる実施例では、レイアウトエンジンは、レイアウトの生成前に、文書コンポーネントを検索するようにさらに構成される。一又は複数の文書コンポーネントごとに、文書コンポーネントは、文書コンポーネントのそれぞれの解像度で視覚表示を含む状態にあり、かつ関連メタデータは、レイアウト内のそれぞれの文書コンポーネントの視覚表示の少なくともサイズを特定する情報を提供する。次いで、一又は複数の文書コンポーネントごとに、レイアウトエンジンは、関連メタデータに提供される情報により特定されるサイズに一致する解像度で視覚表示の文書コンポーネントを検索するように構成される。
【００１８】
実施形態の他の態様では、パノラマ的な視覚化の文書コンポーネントのアクセス制御を提供する方法及びコンピュータ可読記憶媒体が提供される。ここで説明される特徴、機能及び利点は、本発明の種々の実施形態で単独で実現可能であり、また、以下の説明及び図面を参照してさらなる詳細が理解される、さらに別の実施形態で組み合わせが可能である。
【００１９】
本開示の実施形態が一般的な用語で述べられており、ここで添付図面を参照するが、これらは必ずしも正確な縮尺で描かれているわけではない。
【図面の簡単な説明】
【００２０】
【図１】実施形態によるパノラマ的な視覚化システムの図である。
【図２】実施形態によるパノラマ的な視覚化文書コレクションシステムの図である。
【図３】実施形態によるパノラマ的な視覚化文書レイアウトシステムの図である。
【図４】実施形態によるパノラマ的な視覚化文書ナビゲーションシステムの図である。
【図５】実施形態によるパノラマ的な視覚化アクセス制御システムの図である。
【図６】実施形態による適するレイアウトモデルの例を概略的に示す。
【図７】実施形態による適するレイアウトモデルの例を概略的に示す。
【図８】実施形態による適するレイアウトモデルの例を概略的に示す。
【図９】実施形態による適するレイアウトモデルの例を概略的に示す。
【図１０】実施形態による適するレイアウトモデルの例を概略的に示す。
【図１１】実施形態による適するレイアウトモデルの例を概略的に示す。
【図１２】実施形態による適するレイアウトモデルの例を概略的に示す。
【図１３】実施形態による適するレイアウトモデルの例を概略的に示す。
【図１４】実施形態による適するレイアウトモデルの例を概略的に示す。
【図１５】実施形態による適するレイアウトモデルの例を概略的に示す。
【図１６】実施形態による適するレイアウトモデルの例を概略的に示す。
【図１７】実施形態による適するレイアウトモデルの例を概略的に示す。
【図１８】本発明の実施形態による、所定の可視エリアを有し、ユーザによりナビゲートされるＧＵＩに表示される、例示的なページレイアウトを示す。
【図１９】本発明の実施形態による、所定の可視エリアを有し、ユーザによりナビゲートされるＧＵＩに表示される、例示的なページレイアウトを示す。
【図２０】本発明の実施形態による、所定の可視エリアを有し、ユーザによりナビゲートされるＧＵＩに表示される、例示的なページレイアウトを示す。
【図２１】本発明の実施形態による、所定の可視エリアを有し、ユーザによりナビゲートされるＧＵＩに表示される、例示的なページレイアウトを示す。
【図２２】本発明の実施形態による、所定の可視エリアを有し、ユーザによりナビゲートされるＧＵＩに表示される、例示的なページレイアウトを示す。
【図２３】本発明の実施形態による、所定の可視エリアを有し、ユーザによりナビゲートされるＧＵＩに表示される、例示的なページレイアウトを示す。
【図２４】本発明の実施形態による、所定の可視エリアを有し、ユーザによりナビゲートされるＧＵＩに表示される、例示的なページレイアウトを示す。
【発明を実施するための形態】
【００２１】
添付図面を参照して本開示のいくつかの実施形態について、より詳細に説明するが、添付図面には本開示のすべての実施形態が示されているわけではない。実際、本開示の種々の実施形態は、多くの異なる形態で実施可能であり、ここで説明される実施形態に限定されるものと解釈されるべきではなく、むしろ本開示が包括的で完全となるように、且つ当業者に本開示の範囲を十分に伝えるために、これらの実施形態が提供される。たとえば、特に明記されない限り、第一の、第二の、などとして何かに言及することは、特定の順序を意味するものと解釈されるべきではない。また、何か別のもの（特に明記されない限り）の上にあるとされるものが代わりに下にあってもよく、逆もまた同じであり、同様に、何か別の物の左にあるとされる物が代わりに右にあってもよく、逆もまた同じである。全体を通して、類似の参照番号は類似の要素を示している。
【００２２】
本開示の実施形態は、概して文書のパノラマ的な視覚化に関するもので、特に、文書／コンポーネント間の論理関係を反映する方法での文書又はそれらの文書コンポーネントのパノラマ的な視覚化に関するものである。実施形態は、主として航空宇宙応用と併せて述べられる。しかしながら、実施形態は、航空宇宙産業及び航空宇宙産業の外部産業の両方で、様々な他の用途と併せて利用できると理解されるべきである。
【００２３】
ここで図１を参照すると、パノラマ的な視覚化システム１００が、本発明の実施形態に従って示される。システムは、一又は複数の電子文書に対して一又は複数の機能又は動作を実行するために任意の数の異なるサブシステム（各別個のシステム）を備える。たとえば、図示されるように、システムは、文書コレクションシステム１０２、文書レイアウトシステム１０４、文書ナビゲーションシステム１０６、及び／又はアクセス制御システム１０８を備える。パノラマ的な視覚化システムの一部として示されているが、一又は複数の文書コレクションシステム、レイアウトシステム、ナビゲーションシステム及び／又はアクセス制御システムは、代わりに、パノラマ的な視覚化システムとは切り離されてそれと通信することもできる。一又は複数のサブシステムは、他のサブシステムとは関係なく、別個のシステムとして機能又は動作できることも理解されるべきである。さらに、パノラマ的な視覚化システムは、図１で示されるものに対し、一又は複数の付加的な又は代替的なサブシステムを備えるとしてもよい。
【００２４】
ここで述べられるように、電子文書（又は単に文書）は、電子的な及び／又は印刷された（又は印刷可能な）形態で視覚化できる任意の電子メディアコンテンツとされる。文書のメディアコンテンツは、一又は複数のテキストコンテンツ、グラフィックコンテンツ又は静止画、動画などの他の視覚的コンテンツを含むことができる。文書は、その文書の種類がそのフォーマット、メディアコンテンツなどの一又は複数の文書の特性により定義される任意の数の異なる種類の文書であってもよい。適する種類の文書の例は、コンピュータ設計文書（例えば、ＣＡＤ、ＣＡＴＤｒａｗｉｎｇ、ＣＡＴＰａｒｔ、ＣＡＴＰｒｏｄｕｃｔ、ＣＡＴＰｒｏｃｅｓｓ、ｃｇｒ、ＤＷＧ、ＤＸＦ、ＤＷＦなど）、テキストベースの文書（例えば、ＡＮＳ、ＡＳＣ、ＤＯＣ、ＤＯＣＸ、ＨＴＭＬ、ＰＤＦ、ＲＴＦ、ＴＸＴ、ＷＰＤなど）、プレゼンテーション文書（例えば、ＰＤＰ、ＰＰＴなど）、グラフィックス文書（例えば、ＢＭＰ、ＧＩＦ、ＪＰＥＧ、ＪＰ２、ＰＮＧ、ＰＳＤ、ＰＳＰ、ＲＡＷ、ＴＩＦＦなど）、ビデオ文書（例えば、ＡＶＩ、ＭＰＥＧ、ＱｕｉｃｋＴｉｍｅ、ＷＭＶなど）などを含む。適する種類の文書の他の例は、法的文書（例えば、判決、要約、特許など）、本、記事、ウェブページ、スクリーンショット、サービス速報、設計図、保証書、技術的な図面、配線図などの単独のもの又はコレクションを含む。そして、適する種類の文書の更なる例は、技術設計データ、配線データ、トラブルシューティングデータ、ビジネスデータなどのデータセットを含む。
【００２５】
文書は、基本的な区切り点（ｂｒｅａｋｉｎｇ  ｐｏｉｎｔｓ）の間のようなそのメディアコンテンツのグループ化である一又は複数の構成文書コンポーネントからなる。文書コンポーネントは文書の種類次第であり、たとえば、電子ページ、スライド、グラフ、図、静止画、動画などを含むことができる。文書コンポーネントは、他の種類のコンポーネントを含むときには必ずしも電子ページを必要としないが、時には、大まかに「ページ」とされることもある。文書が唯一のコンポーネントを含む例では、文書及びそのコンポーネントは一つとされ、かつ同一のものとされる。
【００２６】
ここで、構成ページからなる文書を参照する。しかしながら、実施形態は、構成ページからさらに構成されてもよく又は構成されなくてもよい、構成文書からなる文書のグループ（コレクション）に等しく適用可能であると理解されるべきである。ゆえに、文書に対して実行される機能は文書のグループに対して等しく実行され、且つページに対して実行される機能は構成文書に対して等しく実行される。
【００２７】
各ページは、それ（というよりはメディアコンテンツ）の視覚表示が電子的な及び／又は印刷された（又は印刷可能な）形式で生成されるデータから形成される。ページが他の種類のメディアコンテンツを含む時には必ずしも静止画を含む必要はないが、ページの視覚表示は、時には、大まかに単にページ又は「画像」とされることもある。
【００２８】
ページは、一又は複数のサブジェクトを有し、且つサブジェクトを反映する又はそうでなければサブジェクトを形成する一又は複数のオブジェクトを有するメディアコンテンツを含む。それゆえ、時には、ページは、そのサブジェクト及び／又はそのサブジェクトのオブジェクトを表すと言われる。例として、ページは、そのサブジェクトとして航空機を有し、オブジェクトとして航空機の外装又は内装のビュー又は外装／内装ビューのセクションを含むことができ、若しくは、ページは、そのサブジェクトとして外装／内装のビューを有し、オブジェクトとして外装ビューのセクションを含むことができる。別の例として、ページはそのサブジェクトとして航空機の計器盤を含み、サブジェクトとして計器盤の計器を含むことができる。
【００２９】
概して、実施形態による文書及び／又はそれらのページは、互いの間に一又は複数の論理的関係を有することができる。以下で詳細に説明されるように、パノラマ的な視覚化システム１００の文書コレクションシステム１０２は、概して、文書を受信し、ページがパノラマ的な視覚化のための文書コレクション（パノラマ的な視覚化文書コレクション）として収集された状態で、これらの論理関係に従ってページを収集するように構成される。文書レイアウトシステム１０４は、概して、文書コレクションシステムからのコレクションなど、パノラマ的な視覚化文書コレクションのパノラマ的に配置された、論理的に関連するページのレイアウトを生成するように構成される。文書ナビゲーションシステム１０６は、概して、文書レイアウトシステムにより生成されたレイアウトなど、パノラマ的な視覚化文書コレクションのパノラマ的に配置された、論理的に関連するページのレイアウトの視覚的表現をナビゲートするためにナビゲーションオプションを選択し提供するように構成される。レイアウトの視覚的表現は、時に、大まかに単にレイアウトとされることもある。
【００３０】
パノラマ的な視覚化システム１００のアクセスコントロールシステム１０８は、概して、一又は複数の文書の一又は複数のページにアクセス制御を提供するように構成される。たとえば、アクセス制御システムは、ある制限されたページに適用可能なアクセス制御ポリシーを定義し、実施し、及び／又は管理するように構成される。この点で、アクセス制御システムは、一又は複数のアクセス制御ポリシーが定義されるページの識別のために、文書コレクションシステム１０２に結合される。アクセス制御システムは、アクセス制御ポリシー実施のために文書レイアウトシステム１０４に結合される。さらに、アクセス制御システムは、アクセス制御ポリシーの管理又はポリシーが適用されるそれらの識別のために、文書ナビゲーションシステム１０６に結合される。
【００３１】
それゆえ、本開示の実施形態は、ページ間での論理関係により文書のページを収集することができ、航空機などの複合システムの背景での一実施例では、その要素間での構造的な関係を反映することができる。論理関係、及び種々の実施例では、構造的な関係を反映させる方法で、ページはパノラマ的に配置される。この配置によって、そうでなければ理解が難しいかもしれない関係のよりよい理解を促進する方法で、ユーザは単一のビューでページを見ることができる。例えば複合システムの背景において、配置は、大量の情報を含む文書を検討するのに要する時間を削減するだけではなく、要する時間を削減し、且つ複合システム及びその要素が互いに関連する方法を理解するために情報を検討する困難を軽減することもできる。
【００３２】
次に、本開示の実施形態による、適する文書コレクションシステム、文書レイアウトシステム、文書ナビゲーションシステム及びアクセス制御システムのより具体的な例をそれぞれ示す図２、図３、図４及び図５を参照する。
【００３３】
図２は、一つの実施形態による文書コレクションシステム２００を示す。図示されるように、一又は複数の電子文書を受信し、且つそれらをそれぞれがメディアコンテンツを含む複数の構成ページ（文書コンポーネント）に逆アセンブルするように構成された文書パーサー２０２を備える。一つの実施例の文書は、文書の種類（例えば、コンピュータ設計文書、プレゼンテーション文書、グラフィックス文書、ビデオ文書、法的文書、本、記事、ウェブページ、設計図、技術的な図面、配線図など）に従って、逆アセンブルすることができる。それゆえ、文書パーサーは、文書形式、ビジネス規則、又はユーザ入力に基づくなどして、文書の種類を識別するよう構成されてもよい。
【００３４】
また、文書コレクションシステム２００は、文書パーサー２０２に結合され、且つページを結合するように構成されたコリゲーター２０４を備える。この点で、ページの結合は、複数のページの一又は複数のページごとに、ページと複数の他のページの一又は複数のページとの間で一又は複数のリンクを識別するように構成されたコリゲーターを備える。一つの実施例のリンクは、文書、文書の種類、及び／又はページ及び他のページのメディアコンテンツにより識別することができる。一つの実施例では、リンクは、一又は複数のビジネス規則、論理などにより、定義される。これらのリンクは、ページと他のページとの間の一又は複数の論理関係を確立することができる。
【００３５】
一つの実施例では、リンクは、共通文書（同じ文書の要素）を共有するページ間で識別される。一つの実施例では、リンクは、たとえば、共通文書又は文書のコレクション内の時系列、空間系列又は順序系列などの所定の系列で互いに隣接するページ間で識別される。いくつかの例では、リンクは、ページのサブジェクト又はオブジェクトにより識別される。たとえば、リンクは、共通のサブジェクト又は共通のオブジェクトを共有するページ間で識別される。一つの実施例では、リンクは、一つのオブジェクトが他のサブジェクトである（オブジェクト−サブジェクト）、又は一つのサブジェクトが他のページのオブジェクトである（サブジェクト−オブジェクト）ページ間で識別される。
【００３６】
一つの実施例では、リンクは、親−子関係により関連付けられるページ間で識別される。一つの実施例では、リンクは、ページの一つがそのメディアコンテンツの他のページの参照又は他のページヘのリンクを含む例でのページ間で識別される。この点で、ある判決は別の判決（例えば、判決の主文、又は、脚注、巻末の注などにおいて）への引用を含み、又は、ページは別のページへのハイパーリンクを含むことができる。さらに別の実施例では、リンクは、ページ間のリンクを識別するユーザ入力により、ページ間で識別される。
【００３７】
ページ間でリンクを識別することに加え、コリゲーター２０４は、一又は複数のページごとに、ページに関連するメタデータを抽出し、生成し、またそうでなければ提供するように構成されてもよい。ページごとに、その関連メタデータは、ページについての任意の数の異なる情報を提供することができる。例えば、メタデータは、ページとそのページに関連するメタデータの他のページとの間のリンクを識別する情報を提供することができる。この情報は、そのページにリンクされた他のページの名前又は他の識別子を含み、また、それらの間でリンクにより確立される論理関係の指示（例えば、共通文書、サブジェクト及び／又はオブジェクト、隣接物、オブジェクト−サブジェクト、サブジェクト−オブジェクト、親−子、参照／リンク、特定されたユーザなど）を含んでもよい。
【００３８】
リンクに加え、ページの関連メタデータは、ページについての一又は複数の他の情報を含むことができる。たとえば、メタデータは、文書の名前又は他の識別子、及び／又は文書の著者、サイズ、及び／又は作成又は最終修正の日時など、ページが構成成分である文書に関する情報を提供する。
【００３９】
また、たとえば、コリゲーター２０４は、一又は複数のアクセス制御ポリシーが定義される又はページヘのアクセスを制限するように定義されるページ識別のための、アクセス制御システム１０８などのアクセス制御システムを含む又はそれに結合される。一つの実施例では、次いで、メタデータは、編集又は修正制限、及び／又はページの暗号化など、一又は複数のアクセス制限についての情報を提供することもできる。航空機などの複合システムの図示された部品カタログ（ＩＰＣ）の背景における一つの例では、コンテンツ制限は、組織（航空会社顧客）、ある種の又は個人の複合システム（たとえば、ある種の又は個人の航空機）、複合システムの要素などの一又は複数をベースに適合される。この例では、コンテンツ制限についての情報は、メタデータの他で反映される、ユーザの識別、ある種の又は個人の複合システム、又はその要素に関する情報の背景などで、他のメタデータに関連する又はそうでなければ他のメタデータを組み込むことができる。
【００４０】
また、メタデータは、ページのメディアコンテンツについて情報を提供することもできる。例えば、この情報は、ページのサブジェクト及び／又はオブジェクトの識別、一又は複数のオブジェクトを含むページの部分、及び／又はページの一又は複数のオブジェクトの詳細のレベルを含む。種々の実施例では、共通のサブジェクト、オブジェクトを共有する又はオブジェクト−サブジェクト又はサブジェクト−オブジェクト関係を有するページ間でのリンクは、それぞれの文書のサブジェクト及び／又はオブジェクトを識別するメタデータから推測できる。これらの例では、ページのサブジェクト及び／又はオブジェクトの仕様は、ページ間で適切なリンクを識別する情報としては十分である。
【００４１】
一つの実施例では、ページの結合は、少なくともある程度のページごとに一又は複数のレイアウトモデルを識別するように構成されたコリゲーター２０４をさらに含む。この実施例では、ページのコリゲーターにより抽出され、生成され、又はそうでなければ提供された関連メタデータは、一又は複数のレイアウトモデルの各々でそれぞれのページの配置を特定する情報をさらに含む。それぞれのレイアウトモデルについては、これは、例えば、ページ（又はより具体的にはそれの視覚表示）のサイズ、場所及び／又は深さ（ｚ順序）を特定することを含む。レイアウトモデルが識別され、サイズ、場所及び／又は深さが、一又は複数のビジネス規則や論理などにより、いかなる任意の数の異なる方法でも特定される。
【００４２】
適するレイアウトモデル（時に表現のスタイルと言われる）の例は、ブリックウォール、部分的なブリックウォール、階層、形状、センターアウト、トップ−ダウン／トライアンギュレイテッド、センターアウトトライアンギュレイテッド、サイズドミナンス、オーバーラップスルーディテール、マスターディテールスルーデプス、ロードシェイプ、ファセット、ミックスメディア／スタティックアンドダイナミックなどを含む。他の例は、一又は複数の上述のレイアウトモデルの組み合わせを含む。任意の数の実施例のレイアウトモデルの各々が、以下でさらに述べられる。
【００４３】
一つの実施例では、レイアウトモデルのページのサイズは、絶対的なサイズ又は相対的なサイズとして特定され、そのいずれかが任意の数の異なる方法で与えられる。種々の例では、ページのサイズは、画素のサイズに関連付けることができ、ゆえにページの画素数又は画素解像度が与えられる。一つの実施例では、ページの絶対的なサイズは、高さ及び幅の寸法（例えば、Ｎ×Ｍ画素）で与えられる。別の実施例では、ページのサイズは、ページが論理的に関連する一又は複数の他のページのサイズに基づき相対的なサイズとして特定される。例えば、相対的なサイズは、他のページの百分率、分数又は倍数などの任意の数の異なる方法で与えられ、又は、相対的なサイズは、単に他のページに対してサイズが小さい、大きい又は等しいという指示により与えられる。例えば、親−子関係により関連付けられるページでは、子のページのサイズはそれの親のページのサイズの半分と特定される。サイズが相対的であるいずれの場合も、それぞれの他のページのサイズは、それらの関連メタデータで与えられ、さらなる他のページのサイズに基づき絶対的なサイズ又は相対的なサイズとして与えられる。
【００４４】
一つの実施例では、サイズと同様に、レイアウトモデルのページの場所（時に位置とされる）は、絶対的な場所又は相対的な場所として特定されるが、どちらかの場合に、任意の数の異なる方法で与えられる。同様に、レイアウトモデルのページの深さは、絶対的な深さ又は相対的な深さとして特定されるが、そのどちらかは任意の数の異なる方法で与えられる。例えば、ページの絶対的な場所は、レイアウトモデルを測る座標システムのｘ座標、ｙ座標に与えられ、及び／又は絶対的深さは、座標システムのｚ座標に与えられる。別の実施例では、ページの相対的な場所は、レイアウトモデルのポイント又は他のページに対してｘ座標、ｙ座標に与えられる。さらに別の実施例では、相対的な場所は、単にレイアウトモデルのポイント又は他のページの上方、下方、左側又は右側の指示により与えられる。同様に、一つの実施例では、相対的な深さは、単にレイアウトモデルの他のページの前又は後にあるページの指示により与えられる。場所及び／又は深さが相対的であるいかなる場合にも、それぞれの他のページの場所及び／又は深さは、それらの関連メタデータで与えられ、絶対的な又は相対的な場所及び／又は深さとして与えられる。
【００４５】
コリゲーター２０４は、パノラマ的な視覚化文書コレクションとしてページ及びメタデータを伝達し、任意の数の異なる送信先にコレクションを伝達するように構成される。一つの実施例では、コリゲーターは、後の検索のためにそれぞれの記憶装置２０６及び２０８にページ及びメタデータを伝達するように構成される。記憶装置は、文書コレクションシステム２００に常駐してもよく、または文書コレクションシステムから分離してそれと通信してもよい。ページ及びメタデータは、任意の数の異なる方法でフォーマット化されて記憶され、ゆえに、それらの記憶装置は、いかなる任意の数の異なる種類とすることができる。適する種類の記憶装置の例は、ファイル記憶装置、データベース記憶装置、クラウド記憶装置などを含む。
【００４６】
種々の実施例では、ページは、それぞれの記憶装置２０６に記憶される前に、圧縮され又はそうでなければより簡単な記憶及び検索のために処理される。例えば、図示されるように、システムは、コリゲーターに結合され、コリゲーターがページを伝達するように構成されたタイラー２１０を備えることができる。タイラーは、一又は複数のページごとに、ページのズームレベルのそれぞれの解像度でページの視覚表示を生成するように構成される。ここで述べられるように、各ズームレベルでのページ（というようりはむしろ視覚表示）は、概して「部分画像」と言われることもあり、時にはページの別個のバージョン又は複製と見なされることもある。しかしながら、上述のように、ページが他の種類のメディアコンテンツを含むときには、ページの部分画像は必ずしも静止画を含む必要はない。
【００４７】
ページの部分画像生成に加え又はその代わりに、タイラー２１０は、部分画像をズームレベル全域で各々がそれぞれのズームレベルで部分画像の空間的エリアを覆う漸進的な多数のタイルに分割するように構成されてもよい。これは、以下でさらに説明されるように、ページの検索、パン及び／又はズームを促進する。次いで、タイラーは、ページ記憶装置などに、ページの部分画像のタイルを伝達するようにさらに構成される。しかしながら、タイルを伝達する前に、タイラーは、そのように希望されるなら、タイルを圧縮するようにさらに構成されてもよい。
【００４８】
一つのより具体的な例では、タイラー２１０は、最大ズームレベルから、一又は複数の中間ズームレベルを通って基準ズームレベルまで階層的に配置されるそれぞれのズームレベルでページの多重解像度を生成するように構成される。各ズームレベルは、異なる解像度ではあるがページ全体の部分画像を含み、ズームレベル全域でのページの部分画像は、同じ本来のアスペクト比（イメージの高さに対する幅の割合）を有することができる。一つの実施例では、最大ズームレベル（レベル０）はそれの最低解像度でページ全体の部分画像を含み、一又は複数の中間ズームレベルは漸進的に高い解像度（レベル０直下のレベル１、レベル１直下のレベル２など）でページ全体の部分画像を含み、基準ズームレベル（レベルL）はそれの最高（又は完全）解像度でページ全体の部分画像を含むことができる。
【００４９】
ページの各部分画像は、いかなる任意の数の異なる方法において生成できる。一つの実施例では、部分画像の一つは、完全解像度部分画像のように、タイラー２１０により受信される。タイラーは、次いで、完全解像度部分画像をダウンサンプリングするなどにより、低い解像度で他の部分画像を生成するように構成される。
【００５０】
示されるように、タイラー２１０は、部分画像をズームレベル全域で各々がそれぞれのズームレベルで部分画像の空間的エリアを覆う漸進的に多数のタイルに分割するように構成される。タイルはズームレベル内部及びズームレベル全域で固定されたサイズ（解像度）を有し、したがてって、多数のタイルからなる部分画像は、少数のタイルからなる部分画像よりも概して高い解像度を有する。それゆえ、各ズームレベルは、それを上回る任意のズームレベルと比べて高いズームレベルと見なされる（そのズームレベルでの部分画像は、それを上回る任意のズームレベルでの部分画像よりも高い解像度とされる）。同様に、各ズームレベルは、それを下回る任意のズームレベルと比べて低いズームレベルと見なされる（そのズームレベルでの部分画像は、それを下回る任意のズームレベルでの部分画像よりも低い解像度とされる）。
【００５１】
一つの実施例では、各ズームレベルでの部分画像は、そのすぐ下のズームレベルの半分の解像度であり、そのすぐ上のズームレベルの２倍の解像度である（解像度は２の倍数で増減する）。この例において、ｌ＝０，１，２，・・・Ｌ、及びｔ０は最高ズームレベル（レベル０）でのタイル数を表すとすると、ズームレベルｌのタイルの数は、ｔｌ＝ｔ０×４ｌによって与えられる。４つのズームレベル０，１，２及び３（Ｌ＝３)を含み、最高ズームレベル部分画像が１のタイル（ｔ０＝１）からなるより具体的な例では、第一の中間ズームレベル（レベル１）部分画像は４つのタイルからなり、第二の中間ズームレベル（レベル２）部分画像は１６のタイルからなり、基準ズームレベル（レベル３）部分画像は６４のタイルからなるとする。
【００５２】
一つの実施例では、一つのズームレベルの任意の数のタイルにより覆われたページは、それぞれ高ズームレベル又は低ズームレベルで増減する数のタイルにより覆われ、これによりページの解像度の増減がもたらされる。同様に、一つのズームレベルの一つのタイルにより覆われたページのエリアは、隣接する高ズームレベルで複数（例えば、４）のタイルにより覆われ、これにより、ページのそれぞれのエリアの解像度が増加する。一つのズームレベルの複数のタイルにより覆われるページのエリアは、隣接する低ズームレベルの一つのタイルにより覆われ、これにより、ページのそれぞれのエリアの解像度が減少する。
【００５３】
一つの実施例では、特定の解像度のページ（又はそのエリア）は、特定の解像度と釣り合ったズームレベルでページを覆うタイルによりディスプレーされる。ディスプレーされたタイルを高ズームレベルでページを覆う増加した数のタイルと交換することにより、ページの拡大が達成される。ディスプレーされたタイルを低ズームレベルでページを覆う減少した数のタイルと交換することにより、ページの縮小が達成される。ページがタイルに分割されるので、ページのすべてというわけでなくその一部をページがディスプレーされるグラフィックユーザインターフェース（ＧＵＩ）で見ることができる例においては、ページの可視部分を覆うこれらのタイルのみが検索されてディスプレーされる。
【００５４】
ここで一つの実施形態による文書レイアウトシステム３００を示す図３を参照する。上述のように、文書レイアウトシステム３００は、図１のパノラマ的な視覚化システム１００の文書レイアウトシステム１０４の一つの例である。文書レイアウトシステムは、概して、パノラマ的に配置された、パノラマ的な視覚化文書コレクションの論理的に関連するページのレイアウトを生成するように構成される。例えば、このコレクションは、文書コレクションシステム１０２からのコレクション、又はより具体的には、一つの実施例において、図２の文書コレクションシステム２００とされる。
【００５５】
図３に示すように、文書レイアウトシステム３００は、検索エンジン３０２、すなわちメディアコンテンツのリクエストを受信してリクエストされたメディアコンテンツを含む一又は複数のページを識別するように構成されたリクエストインターフェースなどを備える。識別されたページは、各々がそれぞれのメディアコンテンツを含み、それぞれのページについての情報を提供する関連メタデータを含む複数のページを含むパノラマ的な視覚化文書コレクションについてである。ページ及びメタデータは、それぞれの記憶装置３０４及び３０６で記憶され、一つの実施例では、これらは、図２に示されるそれぞれの記憶装置２０６及び２０８に対応する。
【００５６】
検索エンジン３０２は、コレクションのページの関連メタデータに基づくなどして、任意の数の異なる方法でページを識別するように構成される。たとえば、リクエストは、コレクションのページのサブジェクト又はオブジェクトに一致する又はそうでなければ関連するキーワードを含む。次いで、リクエストに応じて、検索エンジンは、リクエストに一致する又は関連するメディアコンテンツを含む一又は複数のページの関連メタデータのメタデータ記憶装置３０６を検索するように構成される。
【００５７】
また、文書レイアウトシステム３００は、レイアウトエンジン３０８、すなわち検索エンジン３０２に結合され、識別されたページを含む、複数のページのうちのパノラマ的に配置されたページについての複数のレイアウトモデルからレイアウトモデル（表現のスタイル）を選択するように構成されたレイアウト生成装置などを備える。レイアウトモデルは、ファイル記憶装置、データベース記憶装置、クラウド記憶装置などのそれぞれの記憶装置で保持され、それぞれの記憶装置により任意の数の異なる方法でフォーマット化され記憶される。
【００５８】
レイアウトモデルは、パノラマ的な配置ページについての任意の数の異なるレイアウトを含む。先ほど記載され、さらに以下で述べられるように、適するレイアウトモデルの例は、ブリックウォール、部分的なブリックウォール、階層、形状、センターアウト、トップ−ダウン／トライアンギュレイテッド、センターアウトトライアンギュレイテッド、サイズドミナンス、オーバーラップスルーディテール、マスターディテールスルーデプス、ロードシェイプ、ファセット、ミックスメディア／スタティックアンドダイナミックなどを含む。他の例は、一又は複数の上述のレイアウトモデルの組み合わせを含む。
【００５９】
レイアウトエンジン３０８は、任意の数の異なる方法でレイアウトモデルを選択するように構成される。一つの実施例では、レイアウトエンジンは、識別されたページの関連メタデータによりレイアウトモデルを選択するように構成される。検索エンジン３０２は、それゆえ、レイアウトエンジンに識別されたページの関連メタデータを伝達し、順に、それぞれの関連メタデータによりレイアウトモデルを選択するように構成される。
【００６０】
先ほど説明したように、ページの関連メタデータは、ページが要素である種類の文書についての情報、及び／又はページのメディアコンテンツについての情報を提供する。一つの実施例では、次いで、レイアウトエンジン３０８は、識別されたページが要素である文書（例えば、コンピュータ設計文書、プレゼンテーション文書、グラフィックス文書、動画文書、法的文書、本、記事、ウェブページ、設計図、技術的な図面、配線図など）の種類に従って、レイアウトモデルを選択するように構成される。別の例では、レイアウトエンジンは、一又は複数のそれのサブジェクト及び／又はオブジェクトのような識別されたページのメディアコンテンツによりレイアウトモデルを選択するように構成される。
【００６１】
また上述のように、ページの関連メタデータは、そのページとコレクションの他のページとの間でリンクを識別する情報を含む。それゆえ、レイアウトエンジン３０８は、識別されたページ及び識別されたページの関連メタデータにより識別された他のページを検索するように構成することもできる。これらのページはそれぞれの記憶装置３０４から検索される。
【００６２】
レイアウトエンジン３０８は、選択されたレイアウトモデル、及び検索されたページ並びにそれらの関連メタデータによりパノラマ的に配置された、検索されたページのレイアウトを生成するように構成される。ページの検索に加え、次いで、一つの実施例のレイアウトエンジンは、例えばそれぞれの記憶装置３０６から、関連メタデータを受信するように構成されてもよい。レイアウトエンジンは、次いで、例えば、レイアウトが表示されるＧＵＩ、又はレイアウトのプリントアウトを生成するプリンタなどへ、レイアウトを伝達するように構成される。
【００６３】
一つの実施例では、レイアウトエンジン３０８は、一又は複数の検索されたページに対するアクセス制限実施のための、アクセス制御システム１０８などのアクセス制御システムを含む又はそれに結合される。アクセス制限されたページの関連メタデータは、それに適用可能な一又は複数のアクセス制限についての情報を含むことができ、別の例では、レイアウトエンジンは、アクセス制限されたページ識別のためのアクセス制御システムと通信することができる。レイアウトエンジンは、アクセス制御システムがユーザに検索されたページヘのアクセスを認めることをリクエストするように構成され、アクセス制御システムに対しユーザを識別することができる。次に、アクセス制御システムは、ユーザのＩＤ及びページに適用可能な一又は複数のポリシーに基づき、ユーザにページヘのアクセスを認める又は拒否する決定を生成し、レイアウトエンジンにそれを伝達する。
【００６４】
ユーザが検索されたページへのアクセスを認められる場合には、レイアウトエンジン３０８は、先ほどのようにレイアウトを生成する。しかしながら、ユーザが一又は複数のページへのアクセスを拒否される場合には、レイアウトエンジンは、制限されたページの代わりに制限の視覚指示を含むレイアウトを生成するように構成され、レイアウトは制限されたページと他のページとの間の論理関係をさらに反映する。たとえば、レイアウトエンジンは、レイアウト内の制限されたページを視覚指示に置換する又はレイアウト内の制限されたページに視覚指示を重ねるように構成される。どちらかの場合には、一つの実施例では、レイアウトエンジンは、制限されたページを検索するが、視覚的にはレイアウトにそれを含まないように構成される。制限されたページは、レイアウトでパッケージ化されてもよく、又は視覚指示の下でレイアウトに含まれてもよい。また、一つの実施例では、視覚指示は、ユーザがレイアウトからそれへのアクセス許可を開始可能とするために双方向とすることができる。たとえば、視覚指示は、選択可能なハイパーリンク、ホットリンク、ホットスポットなどを含むことができる。
【００６５】
示唆されているように、レイアウトは、選択されたレイアウトモデルにより検索されたページのパノラマ的な配置を定義することができる。レイアウトの配置において、ページは、それぞれ特定のサイズ、場所及び／又は深さ（ｚ順序）を有する。レイアウトの各ページのサイズ、場所及び／又は深さは、レイアウトの他のページに対して絶対的又は相対的とすることができ、任意の数の異なる方法において特定され又はそうでなければ決定可能とされる。一つの実施例では、サイズ、場所及び／又は深さは、複数のレイアウトモデルのうちの選択されたものの定義から特定される又はそうでなければ決定可能とされる。付加的に又は代替的に、たとえば、レイアウトの各ページの関連メタデータは、先ほど説明したように、レイアウト内のそれのサイズ、場所及び／又は深さ（ｚ順序）を特定する情報を提供する。これらの例では、レイアウトエンジン３０８は、選択されたレイアウトモデル及び／又はレイアウトのページの関連メタデータにより特定されたサイズ、場所及び／又は深さによりレイアウトを生成するように構成される。
【００６６】
ページのアスペクト比は、それらの本来のアスペクト比とすることができる。しかしながら、種々の例では、レイアウトモデルは、一又は複数のページごとに、それぞれのページの本来のアスペクト比とは異なるアスペクト比を特定する又はそうでなければ定義するとしてもよい。これらの例では、レイアウトエンジン３０８は、異なる、ページについての本来のものではないアスペクト比によりレイアウトを生成するようにさらに構成される。
【００６７】
さらなる実施例では、一又は複数のレイアウトページは、それぞれの解像度で視覚表示（例えば、部分画像）を含む状態とすることができる。これらのページの各々については、レイアウトエンジン３０８は、選択されたレイアウトモデル及び／又は関連メタデータにより特定されるサイズに一致する又は最も厳密に一致する解像度で視覚表示のためにページを検索するように構成される。例えば、これは、それぞれの解像度での又はそれに最も近いページの部分画像を検索することを含む。
【００６８】
レイアウトエンジン３０８により生成されるレイアウトは、選択されたレイアウトモデルを変更することによりページの異なるレイアウトが実現されるように、選択されたレイアウトモデルに従い動的に生成される。また、異なるレイアウトは、レイアウトのページの関連メタデータ又は一又は複数の時間ベースの要因に基づくなどして、任意の数の他の方法でも実現される。一つの実施例では、レイアウトエンジンは、それゆえに、検索されたページの異なるパノラマ的な配置のリクエストを受信するようにさらに構成される。この例では、レイアウトエンジンは、リクエストに応じて複数のレイアウトモデルと異なるレイアウトモデルを選択するように構成される。レイアウトエンジンは、次いで、検索されたページの異なるレイアウトを生成するように構成される。これは、選択された異なるレイアウトモデル、及び検索されたページ並びに検索されたページの関連メタデータにより、検索されたページをパノラマ的に再配置するように構成されたレイアウトエンジンを含む。
【００６９】
先述のように、レイアウトモデルは、ページのパノラマ的な配置のいかなる任意の数の異なる種類のレイアウトをも含むことができる。レイアウトモデルにおいて、ページ間のリンクにより構築された論理関係は、場所又は深さ（ｚ順序）のどちらか又は両方において、ページの配置により表現される。一つの実施例では、論理関係は、それらの場所、及び／又はそれらの相対的な深さにおいて互いに近接するページにより表現される。さらに、一又は複数のレイアウトモデルは、互いに関連した文書間のナビゲーション経路、及び／又はそれぞれのレイアウトモデルに従って生成されるレイアウトのページを読み込むためのロードシェイプを定義又は意味することができる。ここで、適するレイアウトモデルの例を概略的に示す図５〜１６を参照する。示されたように、これらの例は、ブリックウォール、部分的なブリックウォール、階層、形状、センターアウト、トップ−ダウン／トライアンギュレイテッド、センターアウトトライアンギュレイテッド、サイズドミナンス、オーバーラップスルーディテール、マスターディテールスルーデプス、ロードシェイプ、ファセット、ミックスメディア／スタティックアンドダイナミックなどを含む。
【００７０】
図６は、ページ６０２が一又は複数の行及び一又は複数の列に配置された一つの実施形態によるブリックウォールレイアウトモデル６００を示す。図示されたように、ブリックウォールレイアウトモデルは、ページがサイズ及び／又は一又は複数の行及び／又は列に沿ってアスペクト比が一致している、一致した端から端までの方向付けにより特徴づけられる。この種のレイアウトモデルは、一般的な検索結果に使用される。一つの実施例では、レイアウトモデルは、垂直の方向付けがページ長の漸進的増加に関連付けられて、チャプターの場所に関連付けられた水平の方向付けを提供する。
【００７１】
別個に示されてはいないが、部分的なブリックウォールレイアウトモデルは、ブリックウォールレイアウトモデル６００の上位集合とみなされる。部分的なブリックウォールレイアウトモデルは、少なくともそれぞれのクラスター内部でサイズ及び／又はアスペクト比が同様に一致しているページのクラスターにより特徴づけられる。このレイアウトモデルにおいて、クラスターは、それらのメディアコンテンツ、著者、作成又は最終修正日時によるなど、それぞれのページの関連メタデータによって関連付けられる。
【００７２】
図７は、ページが場所及び／又はサイズの階層に配置された一つの実施形態による階層レイアウトモデル７００を示す。ページ（階層的に関連したページ）間の階層関係は、任意の数の異なる方法で、それらの関連メタデータにより示される。例えば、階層関係は、ページ間の親−子関係により示される。別の実施例では、階層の高い一つのページのオブジェクトが階層の低い他のページのサブジェクトとされ、及びそれぞれの他のページの少なくともいくつかが階層の同じレベルとされる、オブジェクト−サブジェクト関係又はサブジェクト−オブジェクト関係により、階層関係が示される。この例では、一つのページのサブジェクトがマスタービューとされ、他のページのサブジェクトがマスタービューのオブジェクトの詳細ビューとされる。さらに別の実施例では、階層の高い一つのページが階層の低い他のページの参照又はリンク（例えば、引用、ハイパーリンクなど）を含み、それぞれの他の文書の少なくともいくつかは階層が同じレベルである関係により、階層関係が示される。
【００７３】
階層レイアウトモデル７００の一つの実施例では、階層の高いページは、階層の低いページの上に配置され（トップ−ダウン）、及び／又は階層の低いページよりもサイズが大きいとされる。このレイアウトモデルのページは、サイズまたはアスペクト比が一致しなくてもよい。階層の高いページが階層の低いページより優勢であり、階層の低いページは階層の高いページの幅によりｘ方向に制約される。
【００７４】
より具体的には、例えば、階層の最も高いページ７０２は最上部に配置され、その本来のアスペクト比でのページの完全な解像度によりサイズが決定される。次に階層の高いページ７０４は、最上部ページより小さいサイズで最上部ページのすぐ下に、次に階層の高いページを集合的に最上部ページの幅に制約するアスペクト比で、配置される。このパターンは、次に階層の高いページのそれぞれの下に階層が三番目に高いページ７０６、階層が四番目に高いページ７０８へと繰り返す。一つの実施例では、レイアウトモデルは、単一のページをその下でそれぞれのページに引用される関連ページに提供する。
【００７５】
図８は、航空機又は米国の地形のような、ページが関連する物理的な構造をモデルが模倣する一つの実施形態による形状レイアウトモデル８００を示す。一つの実施例では、ページ８０２は、物理的な構造（２又は３次元表示）の視覚表示８０４の境界線内部に配置されるが、そこではページの場所がメディアコンテンツの構造への関係に一致する。例えば、航空機の翼端エリアに関連するページ（例えば、サブジェクト又はオブジェクトによる）は、航空機の視覚表示のそれぞれのエリアに配置される。別の実施例では、米国の他の州からの判決に関するページが、判決が下された州に一致するアメリカの視覚表示のエリアに配置される。
【００７６】
種々の例における形状レイアウトモデル８００では、ページの一又は複数のサブセットが、物理的な構造の視覚表示のそれぞれのエリアでクラスター８０６に配置される。これらの例では、クラスターは、クラスターのページの場所及びサイズの両方の観点において、別のレイアウトモデルに従いそれぞれ配置される。
【００７７】
図９は、一つの実施形態によるセンターアウトレイアウトモデル９００を示す。このレイアウトモデルは、たとえば、メディアコンテンツを検索する検索エンジン（たとえば、検索エンジン３０２）により識別されるページなど、優勢な、中央に配置された主要ページ９０２により特徴づけられる。主要ページに関連する（例えば、階層的に関連する）ページ９０４は、３６０度の配置での主要ページ周囲に配置される。このレイアウトモデルのページは、サイズまたはアスペクト比が一致しなくてもよい。一つの実施例では、このレイアウトモデルは、主要ページが前の（上の）、後の（下の）及び同時の（並んだ）ページと関連することを示す。この種のレイアウトの例は、中央の主要ページに続く文書ツリーの一部であるページとクロスハイパーリンクされた文書又はウェブページのコレクションとされる。
【００７８】
図１０は、一つの実施形態によるトップ−ダウン／トライアンギュレイテッドレイアウトモデル１０００を示す。このレイアウトモデルは、ブリックウォールレイアウトモデル６００及び階層レイアウトモデル７００の組み合わせと類似しており、階層的に関連するページ１００２のトップダウン配置により特徴づけられる。ブリックウォールレイアウトモデルと同様に、このレイアウトモデルのページは、少なくとも同じ階層レベルでページ内のサイズ及び／又はアスペクト比において一致しており、これは、互いに関連するページの重要性を示す。階層レイアウトモデルと同様に、一つの実施例では、階層の高いページは、階層の低いページの上（ｙ方向）にあるが、階層レイアウトモデルと比べて、階層の低いページの幅は、ｘ方向で階層の高いページにより制約されなくてもよい。一つの実施例では、トップ−ダウン／トライアンギュレイテッドレイアウトモデルは、関連ページのグラフツリーのノードとして単一のページを提供する。
【００７９】
図１１は、一つの実施形態によるセンターアウト／トライアンギュレイテッドレイアウトモデル１１００を示す。このレイアウトモデルは、センターアウトレイアウトモデル９００に類似する、優勢な、中央に配置された主要ページ１１０２により特徴づけられる。センターアウトトライアンギュレイテッドレイアウトモデルにおいて、主要ページに関連する（例えば、階層的に関連する）ページ１１０４は、主要ページの上及び／又は下に配置される。また、センターアウトレイアウトモデル同様に、センターアウトトライアンギュレイテッドレイアウトモデルのページは、サイズ又はアスペクト比が一致しなくてもよい。センターアウトトライアンギュレイテッドレイアウトモデルは、主要ページが前の（上の）及び後の（下の）ページと関連することを示す。この種のレイアウトの例は、主要ページから、中央の主要ページ及び主要ページから通じる下位ページに通じる文書ツリーの部分である上のページとハイパーリンクされた文書又はウェブページのコレクションとされる。
【００８０】
図１２は、一つの実施形態によるサイズドミナンスのレイアウトモデル１２００を示す。このレイアウトモデルは、センターアウトレイアウトモデル９００に類似する。この点で、サイズドミナンスのレイアウトモデルは、優勢な、中央に位置付けられた主要ページ１２０２、及び３６０度の配置の主要ページ周辺に配置された主要ページに関連付けられた（例えば、階層的に関連付けられた）ページ１２０４により、特徴づけられる。しかしながら、このレイアウトモデルは、図示されるページ１２０２ａ及び１２０２ｂと同じサイズ又は異なるサイズである複数の主要ページを含むことができる。このレイアウトモデルのページは、サイズまたはアスペクト比が一致しなくてもよい。このレイアウトモデルのページのサイズは、互いに関連するページのウェート又は関連性を伝えることができる。この種のレイアウトの例は、少なくとも主要な図の４つのすべての座標軸上で関連付けられた参照又はリンクを有する配線図のコレクションとされる。参照された／リンクされた配線図／概略図は、それ自体が付加的な図に関連性を有する。
【００８１】
図１３は、一つの実施形態によるオーバーラップスルーディテールレイアウトモデル１３００を示す。このレイアウトモデルは、それらが配置される深さ（ｚ順序）のページ間での階層的な関係の維持により特徴づけられる。一つの実施例では、階層の高いページ１３０２は、階層の低い別のページ１３０４に重なり、次にさらに階層の低い別のページ１３０６に重なる。このレイアウトでは、共有されるオブジェクト／他のメディアコンテンツがページ全域で少なくとも部分的に空間的に整列するように、一又は複数の共通のオブジェクト又は他のメディアコンテンツを共有するページが重なる１３０８。
【００８２】
レイアウト（又はより具体的にはその視覚的表現）をナビゲートすることは、表現を拡大すること又は縮小することを含む。オーバーラップスルーディテールレイアウトモデル１３００によりレイアウトを拡大することは、サイズの拡大及び、一つの実施例の種々の事例では、そのページの解像度を増加させることを含む。しかしながら、このレイアウトモデルにおいて、レイアウトを拡大することは、その下に重ねられたページ（というよりはその重ねられた部分）がビューに入るように、重なるページを不明瞭にすることをさらに含む。逆に、レイアウトを縮小することは、それぞれのページがビューに入り、一又は複数の重ねられたページ（というよりはその重ねられた部分）がビューから消えるように、不明瞭な重なるページを示すことをさらに含む。一つの実施例では、ページを不明瞭にすることは、拡大中にページの透明度を増加させる（又はその不透明度を減少させる）ことを含み、ページを表示することは、縮小中にページの不透明度を増加させる（又はその透明度を減少させる）ことを含む。
【００８３】
一つの実施例では、図１３に示されるように、ページ１３０２、１３０４及び１３０６を含むオーバーラップスルーディテールレイアウトモデル１３００において、ユーザがレイアウトを拡大するにつれ、ページ１３０２は不明瞭になる。次いで、拡大中のある時点で、それぞれのページはもはや見ることができなくなり、レイアウトはページ１３０４及び１３０６だけを含むように見える。拡大がさらに続くと、もはや見えなくなるまでページ１３０４は不明瞭になり、その時点で、レイアウトはページ１３０６を含むだけに見える。これらの例では、不明瞭なページはレイアウトに残り、そうでなければ、レイアウトエンジン３０８は、レイアウトからそれらを削除するように構成される。
【００８４】
ページ１３０６だけを見ることができページ１３０２及び１３０４が不明瞭である図１３の実施例について引き続き述べると、ユーザがレイアウトを縮小すると、ページ１３０４はページ１３０６に重なって表示される。縮小中のある時点では、それぞれのページが見えるので、レイアウトは、ページ１３０４及び１３０６の両方を含むように見える。縮小は更に続き、さらにページ１３０２が見えるようになるまでページ１３０２は表示され、その時点で、レイアウトは、ページ１２０２、１３０４及び１３０６を含むように見える。これらの例では、重ねられたページ（又はその重ねられた部分）はレイアト内に留まり、そうでなければレイアウトエンジン３０８は、レイアウトからそれらを削除するように構成される。
【００８５】
図１４は、一つの実施形態による、マスターディテールスルーデプスレイアウトモデル１４００を示す。このレイアウトモデルは、ページ間の階層関係がそれらの深さ（ｚ順序）で維持される点で、オーバーラップスルーディテールレイアウトモデル１３００に類似する。しかしながら、このレイアウトモデルにおいて、重ねられたページ（例えば、階層が低い）は、重なるページ（例えば、階層の高い）全体と一致するようにサイズが決定され配置される。
【００８６】
オーバーラップスルーディテールレイアウトモデル１３００同様に、マスターディテールスルーデプスレイアウトモデル１４００のナビゲーションは、レイアウトの拡大又は縮小を含み、重ねられたページに対する重なるページを不明瞭にすること又は表示することをさらに含む。図１４に示す実施例では、ページ１４０２、１４０４及び１４０６を含むレイアウトをナビゲートすることは、ユーザがレイアウトを拡大するにつれ、重なるページを不明瞭にすることを含む。逆に、レイアウトをナビゲートすることは、ユーザがレイアウトを縮小するにつれ、重なるページを表示することを含んでもよい。この点で、複数のページのマスターディテールスルーデプスレイアウトモデルの拡大を実施することは、複数の部分画像を含むページの拡大を実施することに類似する。
【００８７】
図１５は、一つの実施形態によるロードシェイプレイアウトモデル１５００を示す。このレイアウトモデルは、優勢な、中央に配置された主要ページ１５０２、及び主要ページの周囲、上、及び／又は下に配置された主要ページに関連付けられた（例えば、階層的に関連付けられた）ページ１５０４を含む他のレイアウトモデル（例えば、センターアウト、センターアウトトライアンギュレイテッド）のいくつかに類似する。このレイアウトモデルのページは、サイズまたはアスペクト比が一致しなくてもよい。ロードシェイプレイアウトモデルは、レイアウト（又はより具体的にはそれの視覚的表現）を読み込むタイミングにより特徴づけられる。このレイアウトモデルにおいて、非主要ページがまず読み込まれ、主要ページがその後に続く。
【００８８】
ロードシェイプレイアウトモデル１５００の例は、最新のメディアコンテンツの主要ページの前に古いメディアコンテンツのページが読み込まれる時間に関連するメディアコンテンツのページとされる。この背景のメディアコンテンツのタイミングは、メディアコンテンツのサブジェクト又はオブジェクトの時間の側面に関連する。例えば、判決の先立つ歴史についてのページ（例えば、ページ１５０４）は、判決（例えば、ページ１５０２）それ自体の前に読み込まれる。別の例では、メディアコンテンツのタイミングは、文書（例えば、ページ１５０２）の最終版又は最新版の前に、第一のドラフト及び文書に対する一又は複数の変更又は修正（例えば、ページ１５０４）を読み込む場合などのように、コンテンツ作成時間に関連している。
【００８９】
図１６は、一つの実施形態によるファセットレイアウトモデル１６００を示す。ファセットレイアウトモデルは、切頂２０面体１６０４などの三次元（３Ｄ）構造のファセットの背景でのように、３Ｄ環境でのページ１６０２の配置により特徴づけられる。たとえば、各ページは、方向付けのための既知の一致した単位ベクトルで、一組のｘ、ｙ、ｚ座標から作成される。各ページは、次いで、閲覧者の視点に関するレイアウトで配置される。このレイアウトモデルは、視覚的に三次元で表現され、又は変換された切頂２０面体１６０６など、対応する二次元（２Ｄ）配置に変換される。
【００９０】
図１７は、一つの実施形態によるミックスメディア／スタティック−ダイナミックレイアウトモデル１７００を示す。このレイアウトモデルは、レイアウトのページが混合媒体種類のページを含む一又は複数の他のレイアウトモデルのサブセットとされる。たとえば、このレイアウトモデルは、テキストコンテンツ又は静止画の場合などにおいて一又は複数の静的（「Ｓ」）ページ、及び動画の場合などにおいての一又は複数の動的（「Ｄ」）ページを含む。図１７は、例えば、サイズドミナンスレイアウトモデル１２００に類似した配置にミックスメディアコンテンツを配置するミックスメディア／スタティック−ダイナミックレイアウトモデルを示す。示されたように、この配置は、優勢な、中央に配置された主要ページ１７０２a及び１７０２ｂ、及び主要ページ周辺に配置された主要ページに関連付けられた（例えば、階層的に関連付けられた）ページ１７０４を含む。
【００９１】
ここで図４に戻ると、文書ナビゲーションシステム４００が、一つの実施形態に従って示される。上述のように、文書レイアウトシステム４００は、図１のパノラマ的な視覚化システム１００の文書レイアウトシステム１０６の一つの例である。文書ナビゲーションシステムは、概して、パノラマ的な視覚化文書コレクションのパノラマ的に配置され、論理的に関連付けられたページのレイアウトをナビゲートするためにナビゲーションオプションを選択し提供するように構成される。一つの実施例では、これは、文書コレクションシステム１０２（例えば、文書コレクションシステム２００）からのコレクションを含む。さらに又は代替的には、例えば、それは、文書レイアウトシステム１０４（例えば、文書レイアウトシステム３００）により生成されたレイアウトを含む。
【００９２】
図４に示されるように、文書ナビゲーションシステム４００は、パノラマ的な視覚化文書コレクションのページ（文書コンポーネント）のレイアウトを受信するように構成されたナビゲーションエンジン４０２を含む。コレクションは、各々がそれぞれのメディアコンテンツを含み、それぞれのページについての情報を提供する関連メタデータを有する複数のページを含む。レイアウトは、それぞれのページの関連メタデータによりレイアウトのページの視覚表示のパノラマ的な配置を含む。
【００９３】
また、ナビゲーションエンジン４０２は、レイアウトのナビゲーションのための複数のナビゲーションオプションから一又は複数のナビゲーションオプションを選択するように構成され、その中で、ナビゲーションオプションはレイアウトのページの関連メタデータにより選択される。ナビゲーションオプションは、ファイル記憶装置、データベース記憶装置、クラウド記憶装置などのそれぞれの記憶装置内で保持され、それぞれの記憶装置により任意の数の異なる方法でフォーマット化され記憶される。同様に、レイアウトのページのメタデータは、それぞれの記憶装置４０４に記憶され、一つの実施例では、それは、記憶装置２０８及び３０６のどちらか一方又は両方に対応することができる。ナビゲーションエンジンは、選択されたナビゲーションオプションがレイアウトとともに表現されるGUＩなどへ、選択されたナビゲーションオプションを伝達するようにも構成される。
【００９４】
一つの実施例では、ナビゲーションエンジン４０２は、ページの関連メタデータに表示される、レイアウトのページが要素である文書の種類によりナビゲーションオプションを選択するように構成される。一つの実施例では、ナビゲーションエンジンは、関連メタデータにも示される、それらのサブジェクト及び／又はオブジェクトなどの、レイアウトのページのメディアコンテンツによりナビゲーションオプションを選択するように構成される。レイアウトの適するナビゲーションオプションの例は、命令ツール（例えば、パン、回転、ズーム、オブスキュア／ショー、ホームなど）、注釈ツール（例えば、タイムライン／マイルストーン、コールアウトなど）、連結ツール（ハイパーリンク、ホットリンク、ホットスポットなど）、ナビゲーション経路ツール（例えば、トラキッキング、レコーディングなど）、メタデータツール（例えば、検索、フィルタ、挿入など）、ページツール（例えば、検索、フィルタ、キュー、アクティブ化、サイズ、場所、ドミナンス、論理関係など）、レイアウトモデル変更、共同ナビゲーション、ハイパーハイポナビゲーション、印刷などを含む。
【００９５】
レイアウトページの関連メタデータは、直接的に又は間接的に、選択されたナビゲーションオプションに影響を与える。一つの実施例では、ナビゲーションエンジン４０２により選択されたナビゲーションオプションに直接影響を与えるために関連メタデータが検索される。さらに又は代替的には、例えば、ページの関連メタデータは、それによりレイアウトが生成される選択されたレイアウトモデルに影響することなどにより、それらのレイアウトに影響を与える。より具体的には、例えば、ページのレイアウトは、ページの文書及び／又はページのメディアコンテンツの種類により選択されたレイアウトモデルに従って生成される。次いで、レイアウトは、ナビゲーションエンジンにより選択されたナビゲーションオプションに影響を与える。選択されたナビゲーションオプションに直接的にせよ又は間接的にせよ影響する関連メタデータの場合には、ナビゲーションエンジンは、レイアウトページの関連メタデータによりナビゲーションオプションを選択するといわれる。
【００９６】
また、文書ナビゲーションシステム４００は、ナビゲーションエンジン４０２に結合され、一又は複数の選択されたナビゲーションオプションに従ってリクエストを受信するように構成されたリクエストインターフェース４０６を備える。リクエストインターフェースは、ナビゲーションエンジンにリクエストを伝達するように構成される。ナビゲーションエンジンは、次に、リクエストに応じてかつリクエストに従いレイアウトの視覚表示の調節を実行し、先に述べたＧＵＩなどへ調節を伝達するようにさらに構成される。一つの実施例では、ナビゲーションエンジンは、レイアウト自体を調節せずに、視覚表示の調節を実行するように構成される。別の実施例では、ナビゲーションエンジンは、レイアウトの調節を含む視覚表示の調節を実行するように構成される。
【００９７】
上述のように、選択されたナビゲーションオプションは、レイアウト及び／又はそのページにより、又は一つのより具体的な例では、レイアウトのページの関連メタデータにより影響を与えられる。次いで、種々の例では、異なるページのレイアウトは、一又は複数の異なるナビゲーションオプションの選択をもたらす。例えば、ナビゲーションエンジン４０２は、各レイアウトがそれぞれのページのパノラマ的な配置を含んだ状態で、異なる時間帯に第一のページのレイアウト及び第二のページの別個のレイアウトを受信する。この実施例では、ナビゲーションエンジンは、第一のレイアウトについては第一のナビゲーションオプション、第二のレイアウトについては第二のナビゲーションオプションを選択する。第一及び第二のページは、一又は複数の共通のページを含むことができるが、一つの実施例では、一又は複数の異なるページを含んでもよい。この例では、第一及び第二のレイアウトは、少なくとも第一及び第二のページが一又は複数の異なるページを含むという点で異なる。次に、第一及び第二のページ同様に、第一及び第二のナビゲーションオプションは一又は複数の共通のナビゲーションオプションを含むが、ナビゲーションエンジンにより選択された第一及び第二のナビゲーションオプションは、一又は複数の異なるナビゲーションオプションを含む。
【００９８】
一つの実施例では、ナビゲーションエンジン４０２は、レイアウト及び／又は一又は複数のそのページへのアクセス制限の管理のための、アクセス制御システム１０８などのアクセス制御システムを含む又はそれに結合される。先ほど示されたように、一つの実施例では、レイアウトが生成されるページは、レイアウトがそれぞれのページを置換する又はそれに重ねるなどして、その場所で制限の視覚指示を含む制限されたページを含む。一つの実施例では、視覚指示は、ユーザが制限されたページヘのアクセスをリクエストできるように双方向とされる。たとえば、視覚指示は、選択可能なハイパーリンク、ホットリンク、ホットスポットなどを含むことができる。
【００９９】
視覚指示とのユーザの相互作用は、制限されたページへのアクセスのリクエストを生成するが、これは、ナビゲーションエンジン４０２により（たとえば、リクエストインターフェース４０６を介して）受信される。続いて、ナビゲーションエンジンは、制限されたページヘのアクセスを認めるためにアクセス制御システムと通信し、種々の実施例では、一又は複数の条件を満たすことを要求する。アクセス制御システムは、制限されたページヘのアクセスを認める又は拒否し続ける決定を行い、ページをナビゲーションエンジンに伝達する。ユーザに制限されたページヘのアクセスが認められた場合には、ナビゲーションエンジンは、視覚指示をレイアウト内の制限されたページに自動的に置換し、又はその下で制限されたページを表示するために重なっている視覚指示を削除する。
【０１００】
ナビゲーションエンジン４０２は、ページのレイアウトの任意の数の異なるナビゲーションオプションを選択するように構成される。多くの異なるレイアウトモデルにより生成され、多くの異なる種類の文書のページを含む多くのレイアウトは、パン、回転、ズーム、オブスキュア／ショー、ホームなどの命令ツールを含む。種々の例では、レイアウトが表示されるＧＵＩで、レイアウトのすべてというわけではないが一部は見ることができる。これは、例えば、レイアウトのサイズがＧＵＩの可視エリア（時に「ビュー」と言われる）よりも大きい、又は、レイアウトが３Ｄ環境のページである（例えば、ファセットレイアウトモデル）例などの場合である。これらの例では、ナビゲーションオプションは、レイアウトを移動するためのパン及び／又は回転を含む。これは、ビューに入ってくるレイアウトの一又は複数のページを含み、付加的に又は代替的にビューから消える一又は複数のページを含む。ビューの又はビューに入ってくるレイアウトのページは検索されディスプレーされ、その一方で、ビューから外れた又はビューから出ていくページはディスプレーから削除される。さらに、ページの一部分のみがビューにある又はビューに入ってくる、及びページがタイルに分割される例では、ページの可視部分を覆うこれらのタイルのみが検索されディスプレーされる。
【０１０１】
共通のツールは、レイアウト及びそれゆえにそのページの拡大又は縮小も含み、さらにレイアウトのサイズの増減を含む。レイアウトのサイズの増減は、次に、サイズの拡大又は縮小、及び、一つの実施例の種々の例では、そのページの解像度の増減を含む。
【０１０２】
一つの実施例では、レイアウトのページは、ページのズームレベルのそれぞれの解像度で部分画像を含む。この例では、レイアウトは、それぞれのページごとに、選択されたレイアウトモデル及び／又は関連メタデータにより特定されたページのサイズに一致する又は最も厳密に一致する解像度でページの部分画像を含む。次に、レイアウトの拡大は、そのページの部分画像を増加したズームレベルで及びゆえに増加した解像度でそれぞれの部分画像と交換することにより達成される。逆に、レイアウトの縮小は、そのページの部分画像を縮小したズームレベルで及びゆえに減少した解像度でそれぞれの部分画像と交換することにより達成される。
【０１０３】
種々の例では、ページ又はレイアウトのズーム（拡大又は縮小）は、ページ又はレイアウトの一又は複数のページのズームレベルにより提供されるよりも細かい増加量で可能となる。ページ（ページのみ又はレイアウトの部分として）のズームは、ディスプレーされるページのサブイメージに対して、ページの別のサブイメージがページの拡大された／縮小されたサイズに一致する又は最も厳密に一致する増加量に対するとされる。これらの例では、例えば、ズームは、ページのサブイメージを高い又は低い解像度でページの対応するサブイメージと交換することにより達成される。しかしながら、別の例では、ズームは、表示されるページのサブイメージに対して、同じサブイメージがページの拡大された／縮小されたサイズに最も厳密に合うような増加量に対するもとのすることができる。これらの例では、たとえば、ズームは、サブイメージを高い／低い解像度で別のものに取り換えることなく、ページのサブイメージのサイズを拡大することにより達成される。
【０１０４】
さらなる実施例では、ページがそれぞれのサブイメージを含むだけではなく、ズームレベル全域のサブイメージは、各々がそれぞれのズームレベルでサブイメージの空間的なエリアを覆う漸進的な多数のタイルに分割される。この例では、そのページのディスプレーされたタイルを高ズームレベルでページを覆う増加した数のタイルに交換することにより、レイアウトの拡大が達成される。逆に、ディスプレーされたタイルを低ズームレベルでページを覆う減少した数のタイルに交換することにより、レイアウトの縮小が達成される。レイアウトのパン同様に、レイアウトの拡大又は縮小は、ビューに入ってくるレイアウトの一又は複数のページを含み、付加的に又は代替的には、ビューから消える一又は複数のページを含むとしてもよい。これらのページは、高ズームレベル又は低ズームレベルでだが、レイアウトのパンに類似した方法で扱われる。
【０１０５】
レイアウトのページのサイズ／解像度の増加又は減少に加え、一又は複数のレイアウトごとに、ズームオプションは、一又は複数のページにさらに影響を与えるために一又は複数の他のナビゲーションオプションを関係付けることができる。例えば、オーバーラップスルーディテールレイアウトモデル１３００及びマスターディテールスルーデプスレイアウトモデル１４００は、図１３及び図１４を参照して先ほど説明された方法でのように、拡大中及び縮小中に重なるページが重ねられたページに対して不明瞭にされる又は表示されるような、オブスキュア／ショーオプションを関連付けることができる。しかしながら、オブスキュア／ショーオプションは、ズームオプションから独立し、互いに重なるページから独立したレイアウトの一又は複数のページを不明瞭にする又は表示するために利用すされると理解されるべきである。
【０１０６】
上述のそれらのコマンドツールを含む任意の数のナビゲーションオプションは、レイアウトの視覚的表現の調節を実行する。ゆえに、ホームオプションは、ユーザが調節された視覚的表現から視覚的表現に戻ることを許可する。
【０１０７】
ナビゲーションオプションは、タイムライン／マイルストーン、コールアウトなどの注釈ツールを含む。これらのツールは、ユーザによるレイアウトへの注釈付加を許可し、異なるレイアウトモデルへの任意の数の異なるレイアウトに選択され、多くの異なる種類の文書のページを含む。種々の例のタイムライン／マイルストーンオプションは、より具体的には、時系列で互いに論理的に関連するページに適用可能とされる。一つの実施例では、タイムライン／マイルストーンは、レイアウトのページを時系列のマイルストーンとして関連付けるレイアウトに付加される視覚化を実行する。
【０１０８】
ナビゲーションオプションは、ハイパーリンク、ホットリンク、ホットスポットなどのリンクツールを含む。ハイパーリンクオプションによれば、一又は複数のページ（各ソース）は、他のページ又は他のページのメディアコンテンツ（ターゲットとされるページ又はメディアコンテンツ）に参照又はリンクを含む。ターゲットページ又はメディアコンテンツは、同じレイアウトに、又はおそらく同じレイアウトではないが同じパノラマ的な視覚化文書コレクションにある。ターゲットは、同じパノラマ的な視覚化文書コレクションではないページ又はメディアコンテンツを含むことさえできる。
【０１０９】
ハイパーリンクオプションは、ソースページがそのメディアコンテンツ、つまり一又は複数の他のページからリンクされたコンテンツにインラインを含むことを許可する。これは、より具体的にホットリンクと言われることもある。また、ハイパーリンクオプションは、ユーザがソースページからそれぞれのソースページにリンクされた一又は複数のターゲットページヘナビゲートすることを許可する。この点で、ハイパーリンクは、テキスト、図形などの、いかなる任意の数の異なる方法で表示される。例えば、一つのページのメディアコンテンツは、別のページ又は別のページのメディアコンテンツへハイパーリンクとしてフォーマット化される。より具体的には、例えば、一つのページに示されるオブジェクトは、オブジェクトも示す別のページに対して、又は他のページに示されるオブジェクトに対してより直接的に、ハイパーリンクとしてフォーマット化される。この種のパイパーリンクは、ホットスポットと言われることもある。
【０１１０】
先に述べたことに加え又はそれの代わりに、たとえば、ナビゲーションオプションは、トラッキング、レコーディングなどのナビゲーション経路ツールを含んでもよい。実施形態によるナビゲーション経路は、いかなる任意の数の異なる方法でも定義づけられる。一つの実施例では、ナビゲーション経路は、レイアウト又は一又は複数のそのページをパン、回転、拡大及び／又は再配置し、一つのページから別のページ又はメディアコンテンツ（ハイパーリンク）へナビゲートし、若しくはそうでなければレイアウト（またはむしろその視覚的表現）の調整をするといったユーザによる一連の行為により定義される。ナビゲーション経路ツールは、ユーザが従うナビゲーション経路のトラッキング及び／又はレコーディングを許可し、それによりナビゲーション履歴を作成する。
【０１１１】
一つの実施例のナビゲーションオプションは、レイアウトのページの関連メタデータに対して動作する、検索、フィルタ、挿入などのメタデータツールを含む。検索及びフィルタオプションは、ユーザが特定のメタデータの関連レイアウトを検索する又は関連メタデータをフィルタリングして、特定のメタデータを含む又は排除することを許可する。挿入オプションは、関連メタデータが特定のメタデータを含むページに言及された特定のメタデータを含むコールアウトの形式などで、レイアウトの視覚的表現への特定のメタデータの挿入を許可する。
【０１１２】
ナビゲーションオプションは、検索、フィルタ、キュー、アクティブ化、サイズ、場所、ドミナンス、論理関係などのページツールを含む。メタデータツール同様に、検索及びフィルタオプションは、ユーザが特定のページ又は特定のメディアコンテンツのレイアウトのページを検索することを許可する。この点で、検索及びフィルタオプションは、レイアウトのページの関連メタデータを関連付けることができる。
【０１１３】
キューオプションは、レイアウト内のこれらのページへのユーザの注意を引き出すために、一又は複数のページに対する一又は複数の視覚効果の適用を許可する。視覚効果は、いかなる任意の数の異なる効果としてもよい。適する視覚効果の例は、ページ周囲の目立つ色（例えば、黄色）による不透明又は半透明の境界線、ページより小さく及びページに重なる不透明又は半透明の視覚オブジェクト又は形状、若しくはページとサイズが等しい又は大きい及びページに重なる半透明の視覚オブジェクト又は形状などを含む。他の適する視覚効果の例として、ページサイズの拡大、ページに適用されるアニメーションなどが含まれる。
【０１１４】
この視覚効果は、効果が適用されるページ次第で、いかなる任意の数の異なる方法において、もたらすことができる。例えば、視覚効果は、一又は複数のページの選択を示すためにもたらされる。この実施例では、視覚効果は、選択されたページに適用される。この実施例においてさらに又は代替的には、視覚効果は、選択されたページとの具体的な論理関係を有する（例えば、共通の文書、サブジェクト及び／又はオブジェクト、隣接物、オブジェクト−サブジェクト・サブジェクト−オブジェクト、親−子、参照／リンク、特定されたユーザなどを共有する）ページに適用される。別の例では、視覚効果は、ユーザが従うナビゲーション経路を示すためのページに適用される。
【０１１５】
アクティブ化オプションは、さらに具体的には、動的ページに適用可能であり、ユーザがそのようなページに含まれる動画コンテンツを再生する又はそうでなければ制御する（例えば、巻き戻し、早送り、ボリューム、ミュートなど）ことなどにより、一又は複数のページのアクティビティを作動させることを許可する。
【０１１６】
サイズ、場所及びドミナンスのオプションは、ユーザがレイアウトの一又は複数のページをサイズ変更する又はそうでなければ再配置することを許可し、異なるレイアウトを効果的に作成可能にする。これらのオプションは、異なるレイアウトモデルに対する任意の数の異なるレイアウトに適用可能であり、多くの異なる種類の文書のページを含む。しかしながら、一つの実施例では、ドミナンスのオプションは、より具体的には、階層、センターアウト、センターアウトトライアンギュレイテッド、サイズドミナンス、ロードシェイプ、ミックスメディア／スタティック−ダイナミックなどの優勢なページを含むレイアウトモデルによるレイアウトに適用可能である。
【０１１７】
論理関係オプションは、ユーザがページ間の一又は複数の論理関係を付加、削除又はそうでなければ変更することを許可し、順にページのレイアウトの変更を実行する。これらの変更は、ページのレイアウトのナビゲーションからこれらのページの関連メタデータ及び任意の他の同様に関連するページに伝えられてもよく、伝えられなくてもよい。ゆえに、一つの実施例では、現在視覚的に表現されているページのレイアウトに適用されるのみであるという点で、変更は一時的なものとされる。別の実施例では、ページの関連メタデータに対応する変更をもたらすという点で、変更はより永続的なものとされ、現在表現されるレイアウトのみならず影響を受けたページを含んで生成された他のレイアウトにも変更をもたらす。
【０１１８】
ナビゲーションオプションのさらなる例は、レイアウトモデル変更、共同ナビゲーション、ハイパーハイポナビゲーション、印刷などを含む。レイアウトモデル変更オプションは、ユーザが、それにしたがって視覚的に表現されたレイアウトが生成されたレイアウトモデルを変更することを許可する。このオプションは、別のレイアウトモデルによるレイアウトのページの再配置をもたらし、それにより、別のレイアウトを生成する。共同ナビゲーションオプションは、同じシステムの異なる事例のユーザが、システムの一つにより生成されたが、両システムにより同時に視覚的に表現されるページのレイアウトを協力的にナビゲートすることを許可する。ハイパーハイポナビゲーションオプションは、レイアウトのページとして独特のレイアウト状態間又は同じパノラマ的な視覚化文書コレクションの部分ではない他のページ間でのナビゲーション（ハイパーナビゲーション）、及び／又はナビゲーションの結果として変化する単一のレイアウト状態でのナビゲーション（ハイポナビゲーション）を許可する。印刷オプションは、ユーザが視覚的に表現されたレイアウトをそれのプリントアウト生成のためにプリンタに指示することを許可する。
【０１１９】
ここで、一つの実施形態によるアクセス制御システム５００を示す図５を参照する。上述のように、アクセス制御システム５００は、図１のパノラマ的な視覚化システム１００のアクセス制御システム１０８の一つの例である。アクセス制御システムは、概して、文書コレクションシステム１０２から、又は一つの実施例においてより具体的には、図２の文書コレクションシステム２００からなどの、パノラマ的な視覚化文書コレクションの一又は複数のページへのアクセスを制御するように構成される。アクセス制御システム１０８は、いかなる任意の数の異なるアクセス制御モデルに従ってアクセス制御を提供するように構成される。適するアクセス制御モデルの例は、任意アクセス制御（ＤＡＣ)、必須アクセス制御（ＭＡＣ)、格子ベースのアクセス制御（ＬＢＡＣ)、ロールベースのアクセス制御（ＲＢＡＣ)、属性ベースのアクセス制御（ＡＢＡＣ)、利用制御（ＵＣＯＮ)、又はこれらに基づくいかなる任意の数の他のモデルを含む。
【０１２０】
アクセス制御システム５００は、一又は複数のページ若しくはアクセス制限される一又は複数のページの識別を受信するように構成されたポリシー定義エンジン５０２を含む。ページは、各々がそれぞれのメディアコンテンツを含む複数のページを有するパノラマ的な視覚化文書コレクションについてである。一つの実施例では、ページは、それぞれの記憶装置に記憶され、一つの実施例では、図２に示されるそれぞれの記憶装置２０６に対応する。
【０１２１】
また、ポリシー定義エンジン５０２は、ページに適用される一又は複数の権利付与を受信し、かつ権利付与から、ページに提供可能な一又は複数のアクセス制御ポリシーを定義する又はそうでなければ生成するように構成されてもよい。一つの実施例では、権利付与は、一又は複数のユーザに一又は複数のページヘの一又は複数の種類のアクセスを認める規則とされる。ここで主として述べられるように、アクセスの種類は、ページを見る又はそうでなければページを読むためのアクセスを含む。しかしながら、アクセスの種類には、ページを書く、編集する又は修正するためのアクセスなど、他の種類のアクセスが付加的に又は代替的に含まれると理解されるべきである。
【０１２２】
権利付与は、概して、ページヘのアクセスをリクエストするユーザにアクセスを認めるが、それはＩＤにより表示される。ＩＤは、いかなる任意の数の異なる方法でユーザを定義する。ＩＤは、ユーザの固有の識別子（たとえば、ユーザネーム、ｅメールアドレス）及び認証情報（たとえば、パスワード、暗号鍵、セキュリティトークン）を含む。また、ＩＤは、ユーザの一又は複数の役割を含む。さらに又は代替的には、ＩＤは、コア属性、文脈特定属性など、ユーザの一又は複数の属性を含む。これらの例では、権利付与は、それらの識別子／認証情報に基づきユーザにアクセスを直接認めることができ、また、それらの属性及び／又は役割に基づきユーザにアクセスを直接認めることができる。
【０１２３】
ポリシー定義エンジン５０２は、後の検索のためのポリシー記憶装置５０４にポリシーの記憶を指示する。ポリシー記憶装置は、アクセス制御システム５００に常駐してもよく、またアクセス制御システムと離れてそれと通信するとしてもよい。ポリシーは、いかなる任意の数の異なる方法でフォーマット化され記憶され、ゆえに、それらの記憶装置は、いかなる任意の数の異なる種類とすることができる。適する種類の記憶装置の例は、ファイル記憶装置、データベース記憶装置、クラウド記憶装置などを含む。
【０１２４】
さらに図５を参照すると、アクセス制御システム５００は、ポリシー記憶装置５０４のアクセス制御ポリシーを実施するように構成されたエンフォーサー５０６を含む。エンフォーサーは、リクエストを受信し、ポリシーに基づきページヘのアクセスを認める又は拒否する決定を行うように構成される。一つの実施例では、エンフォーサーは、図１の文書レイアウトシステム１０４などの文書レイアウトシステムに結合され、そこからエンフォーサーはユーザに一又は複数のページへのアクセスを認めるリクエストを受信する。リクエストは、リクエストをするユーザ、リクエストされるページ及び／又はリクエストされるアクセスの種類を識別する。一つの実施例では、リクエストそれ自体が、リクエストをするユーザのＩＤ 、又はＩＤの別の必要な部分がＩＤ記憶装置５０８から検索される十分なＩＤ（たとえば、識別子／認証情報）を含む。
【０１２５】
エンフォーサー５０６は、リクエストされたページヘ適用な可能な一又は複数のポリシーを検索し、ポリシー及びユーザのＩＤに基づきユーザのページヘのアクセスを認める又は拒否する決定を行う。次いで、エンフォーサーは、決定を実行するために、文書レイアウトシステム（たとえば、文書レイアウトシステム１０４）などへアクセス決定を伝達する。上述のように、文書レイアウトシステムは、概して、パノラマ的に配置され、論理的に関連するページのレイアウトを生成するように構成される。一つの実施例では、ユーザがページヘのアクセスを拒否される場合には、文書レイアウトシステムは、レイアウトはさらに制限されたページと他のページとの間で論理関係を反映しながら、制限されたページの代わりに制限の視覚指示でレイアウトを生成するように構成される。さらに、たとえば、文書レイアウトシステムは、レイアウト内の制限されたページを制限の視覚指示に置換する又は制限の視覚表示レイアウトを制限されたページに重ねるように構成される。
【０１２６】
アクセス制御システム５００は、それぞれの記憶装置５０４及び５０８でポリシー及びＩＤを管理するように構成されたアドミニストレータ５１０をさらに含む。アドミニストレータは、ポリシー記憶装置の一又は複数のポリシーを付加、削除又は修正するように構成され、より具体的な例では、一又は複数のポリシーの一又は複数の権利付与を付加、削除又は修正するように構成される。アドミニストレータは、ＩＤ記憶装置の一又は複数のＩＤを付加、削除、修正するように構成される。種々の実施例では、アドミニストレータは、一又は複数のユーザの一又は複数の役割又は属性を付加、削除又は修正するように構成される。アドミニストレータによるこれらの及び他の類似の管理行動は、ユーザが一又は複数のページに認められるアクセス又はアクセスの種類の変更をもたらす。
【０１２７】
一つの実施例では、制限されたページの視覚指示を含むページのレイアウトにおいて、視覚指示は双方向とされる。アドミニストレータ５１０は、図１の文書ナビゲーションシステム１０６などの文書ナビゲーションシステムに結合される。ユーザは、制限されたページヘのアクセスをリクエストするために、文書ナビゲーションシステムを介して視覚指示と相互作用する。制限されたコンテンツにアクセスが与えられるユーザは、一又は複数の条件を満たす必要がある。たとえば、ユーザは、アクセスが認められた役割又は属性において変更を確立するように要求される。別の例では、ユーザは、制限されたページを獲得するように要求される。
【０１２８】
条件が満たされ又はそうでなければユーザがアクセスを認められるべき場合には、アドミニストレータ５１０は、文書ナビゲーションシステムへのアクセス許可を文書ナビゲーションシステムへ伝達する。それに応じて、文書ナビゲーションシステムは、視覚指示をレイアウト内の制限されたページに自動的に置換し、又はその下で制限されたページを表示するために重なる視覚表示を削除する。さらに又は代替的には、アドミニストレータは、制限されたページへのアクセスを認めるために、ユーザＩＤ及び／又は制限されたページに適用可能な一又は複数のポリシーを付加、削除又は修正することができる。これにより、ユーザへの一貫したアクセス許可が可能となり、及び／又は別の実施例では、アドミニストレータが、先ほどのレイアウトに類似であるがそれの視覚指示の代わりに制限されたコンテンツを含む新たなレイアウトの自動生成のための文書レイアウトシステム（たとえば、文書レイアウトシステム１０４）にアクセス許可を伝達可能となる。
【０１２９】
本開示の実施形態をさらに説明するために、本開示の実施形態による、所定の可視エリアを有し、ユーザによってナビゲートされるＧＵＩに表示されるページの例示的なレイアウトを示す図１８〜２３をここで参照する。図１８〜２０は、所定の可視エリア１８００を有するＧＵＩに表示された階層レイアウトモデル７００によるレイアウトの実施例を示す。図示されるように、階層レイアウトモデルによるレイアウトは、複数のページ１８０２を含み、一つの実施例では、それらの各々が、それぞれの解像度でページの部分画像とされる。ページ１８０４はページ１８０６より高い解像度を有し、次にページ１８０６はページ１８０８より高い解像度を有し、次にページ１８０８はページ１８１０よりも高い解像度を有する状態で、種々のページは、レイアウト内に異なる解像度を有することができる。
【０１３０】
ページは、ページ間での論理関係に従ってレイアウトに配置され及び／又はサイズが決定される。示される例では、ページ１８０２は、航空機の設計図とされ、オブジェクト−サブジェクト関係を有する。より具体的には、たとえば、階層レベルでのページのオブジェクトは、階層でそれより下のページのサブジェクトとされ、一つの実施例のサブジェクトは、オブジェクトに関して付加的なディテールとされる。
【０１３１】
より具体的には、たとえば、ページ１８０４は、航空機全体の外装ビューを示す。ページ１８０６は、先端部分、着陸装置アセンブリ、窓、エンジンアセンブリ及び後部アセンブリを示す。ページ１８０８は、ページ１８０６のそれぞれのコンテンツについての付加的なディテールを示し、ページ１８１０は、ページ１８０８のそれぞれのコンテンツについての付加的なディテールを示す。しかしながら、可視エリア１８００では、ページ１８０８及び１８１０は、それらのメディアコンテンツがユーザにより部分的にだけ理解される又は全く理解されない解像度で表現される。もちろん、他の実施形態では、ページ１８０８及び／又はページ１８１０は、実質的にそれらのメディアコンテンツすべてが理解される十分な解像度で表現されてもよい。
【０１３２】
ＧＵＩは、ページ１８０２のレイアウトをナビゲートする一又は複数の選択されたナビゲーションオプションを表現する。この実施例では、パン及びズームナビゲーションオプションは、可視エリア１８００のページのサイズを移動及び／又は拡大し、レイアウトの部分１８１４をフォーカスするために調整つまみ１８１２の形態で提示される。要するに、ユーザは、レイアウトを移動及び／又は拡大して、レイアウトの部分でＧＵＩの可視エリアの大部分を満たすために、前述の調整つまみを作動させる。図１９は、この方法でレイアウトをナビゲートする結果の一例を示す。
【０１３３】
図１９で示されたように、ユーザがレイアウトの部分１８１４をフォーカスするために調整つまみ１８１２を作動させると、ページ１８０４-１８１０のサイズは拡大し、一つの実施例では、ページ１８０４−１８０８の部分画像を高い解像度で対応する部分画像と交換することが含まれる。部分画像の解像度により、ユーザは、実質的に、表現されたメディアコンテンツのすべてを理解できる。しかしながら、このビューにおいて、ページ１８１０は、ユーザにより理解されるほど十分な解像度では表現されていない、というのは、それぞれのページのサイズは、次の部分画像に関連するレベルにまで拡大していないからである。すなわち、画像サイズを拡大した後でさえ、より高い解像度で次の部分画像と交換が起こらないように、そのサイズは同じ部分画像になおも最も近似する。この実施例では、ユーザは、ビューを移動し及び／又はサイズ変更してレイアウトのずっと小さい部分１９０２をフォーカスするために、調整つまみ１８１２を再び作動させる。
【０１３４】
部分１９０２をフォーカスするためにレイアウトをナビゲートする結果の一例が、図２０に示される。一つの実施例では、ＧＵＩの可視エリア２０００は、レイアウトのフォーカスされた部分をより十分に収容するためにサイズ変更することができる。ユーザがレイアウトの部分１９０２をフォーカスするために調整つまみ１８１２を作動させると、ページ１８０４−１８１０のサイズは拡大し、一つの実施例では、ページ１８１０の部分画像を高い解像度で対応する部分画像と交換することがさらに含まれる。ページ１８１０のメディアコンテンツは、ユーザが理解するのに十分とされる。ページ１８０４の一部分のみがＧＵＩの可視エリア内部にあり、それぞれのページがタイルに分割される一つの実施例では、それぞれのページの可視部分を覆うこれらのタイルのみが検索され表示される。
【０１３５】
図２１は、所定の可視エリア２１００を有するＧＵＩに表示されたブリックウォールレイアウトモデル６００によるレイアウトの一例を示す。レイアウトは、ページ２１０２−２１１０を含む。示された例では、レイアウトのページは、配線システムの配線図であり、空間系列により関連付けられる。この点において、ページ２１０２は、ページ２１０４に示されるワイヤに接続するワイヤを示す。順に、ページ２１０４は、ページ２１０６で示されるワイヤに接続するワイヤを示し、前記ページ２１０６はページ２１０８で示されるワイヤに接続するワイヤを示し、さらに、ページ２１０８はページ２１１０で示されるワイヤに接続するワイヤを示す。
【０１３６】
完全にＧＵＩの可視エリア２１００内部にあるレイアウトのページは、対象となるエリア又は領域２１１２を形成する又はそうでなければ定義する。一つの実施例では、対象の領域内部のページは、対象の領域外の任意のページに対して増加した解像度で表現される。図示されたように、対象の領域は、ページ２１０２−２１０８を含むが、ページ２１１０の部分のみがＧＵＩの可視エリア内部にあるので、ページ２１１０は、（まだ可視エリア内部にあると見なされるけれども）対象の領域外と見なされる。この例では、ページ２１１０は、ページ２１０２−２１０８の解像度より低い解像度で表現される。
【０１３７】
図２２は、所定の可視エリア２２００を有するＧＵＩに表示されたオーバーラップスルーディテイルレイアウトモデル１３００によるレイアウトの一例を示す。図示されたように、レイアウトは、ページ２２０２及び２２０４を含み、ページ２２０２はページ２２０４の参照を含む。図示されたように、この階層関係は、ページ２２０４（階層の上位）が部分的にページ２２０２に重なり、一つの実施例では、ページ２２０４は、それぞれのページのそれの参照の場所でページ２２０２に重なるレイアウトにより維持される。さらに図示されたように、ページ２２０４は、ページ２２０２よりも小さく表現され、ゆえに、ページ２２０２よりも低い解像度で表現される。
【０１３８】
図２３及び図２４は、実施形態のアクセス制御態様の一例を示す。図１８は、所定の可視エリア１８００を有するＧＵＩに表示された階層レイアウトモデル７００によるレイアウトの実施例を示す。図１８は、レイアウトのいかなるページもアクセス制限されておらず、又はページにアクセスするユーザがそうするのに適切な権利付与を有する場合を表す。一方、図２３において、レイアウトの任意の数のページは、制限され、かつ視覚表示２３００、２３０２、２３０４、２３０６及び２３０８に置換又はそれらで重ねられたものである。図示されるように、視覚表示は、制限の性質（たとえば、「獲得されない」）を指示し、アクセスが認められる条件（たとえば、獲得アクセス）を提案する。視覚表示は、双方向とされ、ユーザが制限されたページヘのアクセスのリクエストを可能にする。図２４は、視覚表示２３００及び２３０２が先に制限されたページ２４００及び２４０２のために置換又は削除され、ユーザにそれぞれのページのアクセスが認められたレイアウトの例を示す。しかし、図２４に示されるように、他のページは、レイアウトがまだ視覚表示２３０４、２３０６及び２３０８を含んだ状態で、制限された状態である。本開示の実施形態によると、パノラマ的な視覚化システム１００、並びに文書コレクションシステム１０２、文書レイアウトシステム１０４、文書ナビゲーションシステム１０６及びアクセス制御システム１０８を含むそのサブシステムは、種々の手段で実施される。同様に、文書コレクションシステム２００、文書レイアウトシステム３００、文書ナビゲーションシステム４００及びアクセス制御システム５００の例は、各要素を含んでおり、実施形態による種々の手段により実施される。システム、サブシステム及びそれらのそれぞれの要素を実施するための手段は、単独で、又は、コンピュータ可読記憶媒体からの一又は複数のコンピュータプログラムコード命令、プログラム命令又は実行可能なコンピュータ可読プログラムドード命令の指示のもとで、ハードウェアを備えることができる。
【０１３９】
一つの実施例では、ここで図示され述べられるシステム、サブシステム、及びそれぞれの要素として機能する又はそうでなければそれらを実施するように構成された一又は複数の装置が提供される。複数の装置を含む実施例では、それぞれの装置は、有線又は無線ネットワークなどを介して直接的に又は間接的になどの任意の数の異なる方法で、互いに接続される又はそうでなければ互いに通信する。
【０１４０】
概して、本開示の実施形態の装置は、一又は複数の固定又は携帯用の電子装置に備えられ、含まれ、又は実施される。適する電子機器の例は、スマートフォン、タブレット型コンピュータ、ノート型コンピュータ、デスクトップコンピュータ、ワークステーションコンピュータ、サーバコンピュタなどを含む。装置は、メモリ（たとえば、記憶装置）に接続されたプロセッサ（たとえば、プロセッサユニット）などの任意の数のコンポーネントそれぞれの一又は複数を含むことができる。
【０１４１】
プロセッサは、概して、たとえば、データ、コンピュータ可読プログラムコード、命令など（概して、ソフトウェア、ファームウェアなどの「コンピュータプログラム」）などの情報、及び／又は他の適する電子情報を処理できる任意のハードウェアである。より具体的には、たとえば、プロセッサは、プロセッサに搭載された状態で記憶された又はそうでなければメモリ（同じ又は別の装置のメモリ）に記憶された、コンピュータプログラムを実行するように構成される。プロセッサは、特定の実施次第では、任意の数のプロセッサ、マルチプロセッサコア、又は他の種類のプロセッサであってもよい。さらに、プロセッサは、単一のチップ上に主要プロセッサと共に一つ以上の二次プロセッサが存在する任意の数の異種プロセッサシステムを使用して実施されてもよい。別の実施例では、プロセッサは、同一形態の複数のプロセッサを含む対称型マルチプロセッサシステムであってもよい。さらに別の実施例では、プロセッサは、一つ以上の特定用途向け集積回路（ＡＳＩＣ）、フィールドプログラム可能なゲートアレイ（ＦＰＧＡ）などとして実施される、又はそうでなければそれらを含むことができる。ゆえに、プロセッサは一つ以上の機能を実行するためのコンピュータプログラムを実行できるが、種々の例のプロセッサは、コンピュータプログラムの補助がなくとも一つ以上の機能を実行することができる。
【０１４２】
メモリは、概して、データ、コンピュータプログラム及び／又は一時的な及び／又は永続的な他の適する情報などの情報を記憶できる任意のハードウェアである。メモリは、揮発性及び／又は不揮発性メモリを含み、固定されても取り外し可能でもよい。適するメモリの例は、ランダムアクセスメモリ（ＲＡＭ）、読出し専用メモリ（ＲＯＭ）、ハードドライブ、フラッシュメモリ、サムドライブ、取り外し可能なコンピュータディスケット、光ディスク、磁気テープ又はそれらをいくつか組み合わせたものを含む。光ディスクには、コンパクトディスク−リードオンリーメモリ（ＣＤ−ＲＯＭ）、コンパクトディスク−リード／ライト（ＣＤ−Ｒ／Ｗ）、及びＤＶＤなどが含まれる。種々の例では、メモリは、情報を記憶できる永続的装置として、一つの場所から別の場所へ情報を伝送できる電子的な一時的信号などのコンピュータ可読伝送媒体と区別される、コンピュータ可読記憶媒体としてもよい。ここで述べられるコンピュータ可読媒体は、概して、コンピュータ可読記憶媒体又はコンピュータ可読伝送媒体を参照することができる。
【０１４３】
メモリに加えて、プロセッサは、情報をディスプレー、送信及び／又は受信するために一つ以上のインターフェースに接続される。インターフェースは、通信インターフェース（たとえば通信ユニット）及び／又は一つ以上のユーザインターフェースを含む。通信インターフェースは、他の装置やネットワークへ及び／又はそれらから情報を送信及び／又は受信するように構成される。通信インターフェースは、物理的（有線）及び／又は無線通信リンクにより情報を送信及び／又は受信するように構成される。適する通信インターフェースの例は、ネットワークインターフェースコントローラ（ＮＩＣ）、無線ＮＩＣ（ＷＮＩＣ）などを含む。
【０１４４】
ユーザインターフェースは、ディスプレー及び／又は一つ以上のユーザ入力インターフェース（たとえば、入力／出力ユニット）を含む。ディスプレーは、適する例として液晶ディスプレー（ＬＣＤ）、発光ダイオードディスプレー（ＬＥＤ）、プラズマディスプレーパネル（ＰＤＰ）などを含む、ユーザに情報を表現する又はそうでなければディスプレーするように構成される。ユーザ入力インターフェースは、有線でも無線でもよく、処理、記憶及び／又はディスプレー用の装置内でユーザから情報を受信するように構成される。ユーザ入力インターフェースの適する例として、マイク、画像またはビデオキャプチャー装置、キーボードまたはキーパッド、ジョイスティック、タッチセンサ式画面（タッチスクリーンとは別個の、又はタッチスクリーンに統合されたもの）、生物測定センサーなどが含まれる。ユーザインターフェースは、プリンタやスキャナなどの周辺機器と通信する一つ以上のインターフェースをさらに備える。
【０１４５】
上述のように、プログラムコード命令は、システム、サブシステム及びここで述べられるそれぞれの要素の機能を実施するために、メモリに記憶され、プロセッサで実行することができる。理解されるように、任意の適するプログラムコード命令は、コンピュータ可読記憶媒体からコンピュータ又はその他のプログラム可能装置に読み込まれ、ここで特定される機能を実施する手段となるように特定のマシンが製造される。また、これらのプログラムコード命令は、コンピュータ、プロセッサ、又はその他のプログラム可能な装置を特定の方法で機能させることにより特定のマシン又は特定の製造品を生成する、コンピュータ可読記憶媒体に記憶される。コンピュータ可読記憶媒体に記憶された命令は、製造品を生産することができ、この製造品はここで述べられた機能を実施するための手段となる。プログラムコード命令をコンピュータ可読記憶媒体から検索されコンピュータ、プロセッサ、又はその他のプログラム可能な装置に読み込むことにより、コンピュータ、プロセッサ、又はその他のプログラム可能な装置上で又はそれらにより実行される動作を実行するコンピュータ、プロセッサ、又はその他のプログラム可能な装置を構成することができる。
【０１４６】
一つの命令が一度に検索され読み込まれ実行されるように、プログラムコード命令の検索、読み込み及び実行は連続して行われる。幾つかの実施形態では、複数の命令をまとめて検索し、読み込み及び／又は実行するために、検索、読み込み、及び／又は実行が並行して行なわれる。コンピュータ、プロセッサ、又はその他のプログラム可能な装置により実行される命令がここで述べられる機能を実施するための動作を提供するために、プログラムコード命令の実行により、コンピュータで実施されるプロセスが生成される。
【０１４７】
プロセッサによる命令の実行、又はコンピュータ可読記憶媒体での命令の記憶により、特定の機能を実行するための動作の組み合わせがサポートされる。さらに、一つ以上の機能及び機能の組み合わせは、特定の機能を実行する特殊用途ハードウェアに基づくコンピュータシステム及び／又はプロセッサ、或いは特殊用途ハードウェアとプログラムコード命令との組み合わせによって実施されることも理解されるだろう。
【０１４８】
上述したように、本発明の実施形態により、多数のページ（又は文書）のコレクション、レイアウト及び／又はナビゲーションが可能になる。実施形態により、ユーザは、全てのページを検索するよりも少ない処理能力で、同時に且つ迅速に多数のページを見て視覚的に検索することができる。ユーザが概して対象となるページ掲載の概念を持っている又はそれぞれのページと他のページとの間で論理関係の概念を持っている例では、ユーザが対象となるページを位置付けて使用できるように、ページのレイアウトを生成し及び／又はナビゲートすることができる。ページの大きいコレクションに関わる物理的な空間が必要とされることなく、ページが現実世界に広がっているかのように、ユーザはページを見てそれらをナビゲートすることができる。
【０１４９】
たとえば、一つの実施形態では、コンピュータ可読記憶媒体の実行により、装置に、各々がそれぞれのメディアコンテンツを含みかつそれぞれの文書コンポーネントについての情報を提供する関連メタデータを有する、パノラマ的な視覚化文書コレクションの制限された文書コンポーネントを識別させ、文書コンポーネントの関連メタデータは、それぞれの文書コンポーネント間でリンクを識別する情報をさらに含み、次いで、有利には、文書コンポーネント及び制限された文書コンポーネントの代わりに制限の視覚表示を含む関連メタデータに従って、文書コンポーネントのパノラマ的に配置された視覚表示のレイアウトを生成及び伝達する。
【０１５０】
コンピュータ可読媒体の別の実施形態は、制限された文書コンポーネントを含み、制限された文書コンポーネントに重ねる制限の視覚表示を含む文書コンポーネントを検索するためのプロセッサによる実行に関する。この実施形態の付加的な利益は、プロセッサによる実行であり、これにより、装置に、制限された文書コンポーネントへのアクセスを認めさせ、それに応じて、レイアウトから制限の視覚表示を自動的に削除させる。有利には、また、コンピュータ可読記憶媒体は、装置に、レイアウト内の制限された文書コンポーネントを制限の視覚表示に置換するレイアウトを生成させることもできる。
【０１５１】
コンピュータ可読記憶媒体の別の実施形態では、プロセッサによる実行に応じて、装置に、制限された文書コンポーネントへのアクセスを認めさせ、それに応じて、レイアウト内の制限の視覚表示を制限された文書コンポーネントに自動的に置換させ、コンピュータ可読記憶媒体は、内部に記憶され、プロセッサによる実行に応じて、装置に、文書コンポーネントのパノラマ的に配置された視覚表示の複数のレイアウトモデルからレイアウトモデルをさらに選択させ、レイアウトモデルは、文書コンポーエントの少なくともひとつの関連メタデータに従って選択され、かつレイアウトを生成する装置は、選択されたレイアウトモデルにさらに基づきレイアウトを生成することを含む。
【０１５２】
有利には、文書コンポーネントごとの関連メタデータは、レイアウト内のそれぞれの文書コンポーネントの視覚表示のサイズ、場所及び深さの一又は複数を特定する情報を提供し、文書コンポーネント及び制限された文書コンポーネントの視覚表示について、装置は、関連メタデータに提供される情報により特定されるサイズ、場所及び深さの一又は複数に従ってレイアウトを生成するように構成され、有利には、関連メタデータに提供される情報により特定されるサイズに一致する解像度で視覚表示の文書コンポーネントを検索する。これまでの説明および関連する添付図面に提示された教示の利点を有するこの開示が関連する技術分野の当業者であれば、本開示の多数の変形例および他の実施形態を想起するだろう。したがって、本発明は開示された特定の実施形態に限定されるものでなく、変形例及び他の実施形態が添付の特許請求の範囲に含まれることを意図しているものと理解されるべきである。さらに、上の説明及び添付図面は、要素及び／又は機能の特定の例示的な組み合わせの点から実施形態を説明しているが、特許請求の範囲から逸脱せずに、別の実施形態によって要素及び／又は機能の異なる組み合わせが提供されてもよいと理解されるべきである。この点で、例えば、上に明記したものとは異なる、要素及び／又は機能の組み合わせも、特許請求の範囲の一部に明記されるものと考慮される。ここでは特定の用語が使用されるが、それらは、一般的及び説明的な意味でのみ使用されており、限定を目的とするものではない。
【符号の説明】
【０１５３】
１００    パノラマ的な視覚化システム
２００    文書コレクションシステム
３００    文書レイアウトシステム
４００    文書ナビゲーションシステム
５００    アクセス制御システム
６００    ブリックウォールレイアウトモデル
６０２    ページ
７００    階層レイアウトモデル
７０２〜７０８    ページ
８００    形状レイアウトモデル
８０２    ページ
８０４    視覚表示
８０６    クラスター
９００    センターアウトレイアウトモデル
９０２    主要ページ
９０４    主要ページに関連するページ
１０００    トップ−ダウン／トライアンギュレイテッドレイアウトモデル
１００２    ページ
１１００    センターアウト／トライアンギュレイテッドレイアウトモデル
１１０２    主要ページ
１１０４    主要ページに関連するページ
１２００    オーバーラップスルーディテールレイアウトモデル
１２０２ａ、１２０２ｂ    ページ
１２０４    ページ
１３００    オーバーラップスルーディテールレイアウトモデル
１３０２〜１３０６    ページ
１４００    マスターディテールスルーデプスレイアウトモデル
１４０２〜１４０６    ページ
１５００    ロードシェイプレイアウトモデル
１５０２    主要ページ
１５０４    主要ページに関連するページ
１６００    ファセットレイアウトモデル
１６０２    ページ
１７００    ミックスメディア／スタティック−ダイナミックレイアウトモデル
１７０２ａ、１７０２ｂ    主要ページ
１７０４    主要ページに関連するページ
１８００    可視エリア
１８０２〜１８１０    ページ
１８１２    調整つまみ
２０００    可視エリア
２１００    可視エリア
２１０２〜２１１０    ページ
２２００    可視エリア
２２０２、２２０４    ページ
【図１】
2014075128.tif 000003
【図２】
2014075128.tif 000004
【図３】
2014075128.tif 000005
【図４】
2014075128.tif 000006
【図５】
2014075128.tif 000007
【図６】
2014075128.tif 000008
【図７】
2014075128.tif 000009
【図８】
2014075128.tif 000010
【図９】
2014075128.tif 000011
【図１０】
2014075128.tif 000012
【図１１】
2014075128.tif 000013
【図１２】
2014075128.tif 000014
【図１３】
2014075128.tif 000015
【図１４】
2014075128.tif 000016
【図１５】
2014075128.tif 000017
【図１６】
2014075128.tif 000018
【図１７】
2014075128.tif 000019
【図１８】
2014075128.tif 000020
【図１９】
2014075128.tif 000021
【図２０】
2014075128.tif 000022
【図２１】
2014075128.tif 000023
【図２２】
2014075128.tif 000024
【図２３】
2014075128.tif 000025
【図２４】
2014075128.tif 000026
【外国語明細書】
2014075128000001.pdf
2014075128000002.pdf
2014075128000003.pdf
2014075128000004.pdf